(57)【要約】  本発明は、アップリンク伝送方法及び装置に関する。当該方法は、１つの時間ユニットで伝送される時間領域重畳チャネルグループを決定することであって、前記時間領域重畳チャネルグループに１グループのＰＵＣＣＨと１グループのＰＵＳＣＨが含まれ、１グループのＰＵＣＣＨと１グループのＰＵＳＣＨに、時間領域で重畳しているＰＵＣＣＨとＰＵＳＣＨがあり、１グループのＰＵＣＣＨに、アップリンクスケジューリングリクエストを伝送するためのＰＵＣＣＨが含まれ、１グループのＰＵＳＣＨに、アップリンクデータを伝送するためのＰＵＳＣＨが含まれることと、前記時間領域重畳チャネルグループで伝送されるアップリンク制御情報及びアップリンクデータに対して多重化伝送を行うことであって、前記アップリンク制御情報にアップリンクスケジューリングリクエストが含まれることと、を含む。【選択図】図２
2021520147.tif 000002
【特許請求の範囲】
【請求項１】
ユーザ機器に適用されるアップリンク伝送方法であって、
１つの時間ユニットで伝送される時間領域重畳チャネルグループを決定することであって、前記時間領域重畳チャネルグループに１グループの物理アップリンク制御チャネル（ＰＵＣＣＨ）と１グループの物理アップリンク共有チャネル（ＰＵＳＣＨ）が含まれ、１グループのＰＵＣＣＨと１グループのＰＵＳＣＨに、時間領域で重畳しているＰＵＣＣＨとＰＵＳＣＨが含まれ、１グループのＰＵＣＣＨに、アップリンクスケジューリングリクエストを伝送するためのＰＵＣＣＨが含まれ、１グループのＰＵＳＣＨに、アップリンクデータを伝送するためのＰＵＳＣＨが含まれることと、
前記時間領域重畳チャネルグループによって伝送される及びアップリンクデータに対して多重化伝送を行うことであって、前記アップリンク制御情報にアップリンクスケジューリングリクエストが含まれることと、を含む、前記アップリンク伝送方法。
【請求項２】
前記時間領域重畳チャネルグループによって伝送されるアップリンク制御情報及びアップリンクデータに対して多重化伝送を行うことは、
前記アップリンク制御情報から前記アップリンクスケジューリングリクエストを除去することと、
アップリンクスケジューリングリクエストが除去された他のアップリンク制御情報とアップリンクデータに対してチャネル符号化及び変調を行い、前記ＰＵＳＣＨの時間周波数リソースにマッピングして伝送することと、
記時間領域重畳チャネルグループにおけるＰＵＣＣＨ伝送を放棄することと、を含むことを特徴とする
請求項１に記載の方法。
【請求項３】
前記時間領域重畳チャネルグループによって伝送されるアップリンク制御情報及びアップリンクデータに対して多重化伝送を行うことは、
アップリンクスケジューリングリクエストを含むすべてのアップリンク制御情報とアップリンクデータに対してチャネル符号化及び変調を行い、前記ＰＵＳＣＨの時間周波数リソースにマッピングして伝送することと、
前記時間領域重畳チャネルグループにおけるＰＵＣＣＨ伝送を放棄することと、を含むことを特徴とする
請求項１に記載の方法。
【請求項４】
前記アップリンクスケジューリングリクエストを含むすべてのアップリンク制御情報とアップリンクデータに対してチャネル符号化及び変調を行い、前記ＰＵＳＣＨの時間周波数リソースにマッピングして伝送することは、
前記アップリンクスケジューリングリクエストのビット情報に対して、アップリンクスケジューリングリクエストのチャネル符号化及び変調方式に従って、独立したチャネル符号化及び変調を行うことと、
変調されたアップリンクスケジューリングリクエストの変調シンボルとアップリンクデータをＰＵＳＣＨの時間周波数リソースにマッピングして伝送することと、を含むことを特徴とする
請求項３に記載の方法。
【請求項５】
前記アップリンクスケジューリングリクエストを含むすべてのアップリンク制御情報とアップリンクデータに対してチャネル符号化及び変調を行い、前記ＰＵＳＣＨの時間周波数リソースにマッピングして伝送することは、
前記アップリンクスケジューリングリクエストのビット情報と、前記アップリンクスケジューリングリクエスト以外の他のアップリンク制御情報のビット情報とを併合することと、
併合された前記アップリンク制御情報のビット情報に対して、前記他のアップリンク制御情報のチャネル符号化及び変調方式に従って、独立したチャネル符号化及び変調を行うことと、
変調された前記アップリンク制御情報の変調シンボルとアップリンクデータをＰＵＳＣＨの時間周波数リソースにマッピングして伝送することと、を含むことを特徴とする
請求項３に記載の方法。
【請求項６】
前記アップリンクスケジューリングリクエストを含むすべてのアップリンク制御情報とアップリンクデータに対してチャネル符号化及び変調を行い、前記ＰＵＳＣＨの時間周波数リソースにマッピングして伝送することは、
前記アップリンクスケジューリングリクエストのビット情報に対して、予め設定された他のアップリンク制御情報のチャネル符号化及び変調方式に従って、独立したチャネル符号化及び変調を行うことと、
変調された前記アップリンクスケジューリングリクエストの変調シンボルとアップリンクデータをＰＵＳＣＨの時間周波数リソースにマッピングして伝送することと、を含むことを特徴とする
請求項３に記載の方法。
【請求項７】
前記他のアップリンク制御情報は、アップリンクハイブリッド自動再送リクエスト（ＨＡＲＱ）フィードバック情報とチャネル状態情報のうちの１つを少なくとも含むことを特徴とする
請求項５又は６に記載の方法。
【請求項８】
前記時間領域重畳チャネルグループによって伝送されるアップリンク制御情報及びアップリンクデータに対して多重化伝送を行うことは、
前記ＰＵＣＣＨを介して前記アップリンクスケジューリングリクエストを伝送することと、
前記アップリンクスケジューリングリクエスト以外の他のアップリンク制御情報とアップリンクデータに対してチャネル符号化及び変調を行い、前記ＰＵＳＣＨの時間周波数リソースにマッピングして伝送することと、
前記時間領域重畳チャネルグループにおける、前記アップリンクスケジューリングリクエストを伝送するためのＰＵＣＣＨ以外の他のＰＵＣＣＨの伝送を放棄することと、を含むことを特徴とする
請求項１に記載の方法。
【請求項９】
基地局に適用されるアップリンク伝送方法であって、
１つの時間ユニットで伝送される時間領域重畳チャネルグループを決定することであって、前記時間領域重畳チャネルグループに１グループの物理アップリンク制御チャネル（ＰＵＣＣＨ）と１グループの物理アップリンク共有チャネル（ＰＵＳＣＨ）が含まれ、１グループのＰＵＣＣＨと１グループのＰＵＳＣＨに、時間領域で重畳しているＰＵＣＣＨとＰＵＳＣＨが含まれ、１グループのＰＵＣＣＨに、アップリンクスケジューリングリクエストを伝送するためのＰＵＣＣＨが含まれ、１グループのＰＵＳＣＨにアップリンクデータを伝送するためのＰＵＳＣＨが含まれることと、
前記時間領域重畳チャネルグループによって伝送されるアップリンク制御情報とアップリンクデータの多重化伝送を受信することであって、前記アップリンク制御情報にアップリンクスケジューリングリクエストが含まれることと、を含む、前記アップリンク伝送方法。
【請求項１０】
前記時間領域重畳チャネルグループによって伝送されるアップリンク制御情報とアップリンクデータの多重化伝送を受信することは、
アップリンクデータを伝送するための前記ＰＵＳＣＨで、前記アップリンクスケジューリングリクエスト以外の他のアップリンク制御情報とアップリンクデータの変調シンボルを受信することと、
アップリンクスケジューリングリクエストの受信を放棄することと、を含むことを特徴とする
請求項９に記載の方法。
【請求項１１】
前記時間領域重畳チャネルグループによって伝送されるアップリンク制御情報の伝送を受信することは、
アップリンクデータを伝送するための前記ＰＵＳＣＨで、前記アップリンクスケジューリングリクエストを含むアップリンク制御情報を受信することと、
アップリンクスケジューリングリクエストのチャネル復号及び復調方式に従って、多重化伝送されたアップリンクスケジューリングリクエストを取得すること、又は
予め設定された他のアップリンク制御情報のチャネル復号及び復調方式に従って、多重化伝送されたアップリンクスケジューリングリクエストを取得すること、又は
ＰＵＳＣＨで伝送される、アップリンクスケジューリングリクエスト以外の他のアップリンク制御情報のチャネル復号及び復調方式に従って、多重化伝送されたアップリンクスケジューリングリクエストを取得することと、を含むことを特徴とする
請求項９に記載の方法。
【請求項１２】
前記時間領域重畳チャネルグループによって伝送されるアップリンク制御情報とアップリンクデータの多重化伝送を受信することは、
アップリンクデータを伝送するための前記ＰＵＳＣＨで、前記アップリンクスケジューリングリクエスト以外の他のアップリンク制御情報とアップリンクデータの変調シンボルを受信することと、
アップリンクサービスリクエストを伝送するためのＰＵＣＣＨで、アップリンクスケジューリングリクエストを受信することと、を含むことを特徴とする
請求項９に記載の方法。
【請求項１３】
アップリンク伝送装置であって、
１つの時間ユニットで伝送される時間領域重畳チャネルグループを決定するように構成され、前記時間領域重畳チャネルグループに１グループの物理アップリンク制御チャネル（ＰＵＣＣＨ）と１グループの物理アップリンク共有チャネル（ＰＵＳＣＨ）が含まれ、１グループのＰＵＣＣＨと１グループのＰＵＳＣＨに、時間領域で重畳しているＰＵＣＣＨとＰＵＳＣＨがあり、１グループのＰＵＣＣＨに、アップリンクスケジューリングリクエストを伝送するためのＰＵＣＣＨが含まれ、１グループのＰＵＳＣＨに、アップリンクデータを伝送するためのＰＵＳＣＨが含まれる決定モジュールと、
前記時間領域重畳チャネルグループによって伝送されるアップリンク制御情報及びアップリンクデータに対して多重化伝送を行うように構成され、前記アップリンク制御情報にアップリンクスケジューリングリクエストが含まれる伝送モジュールと、を備える、前記アップリンク伝送装置。
【請求項１４】
前記伝送モジュールは、
前記アップリンク制御情報から前記アップリンクスケジューリングリクエストを除去するように構成される除去サブモジュールと、
アップリンクスケジューリングリクエストが除去された他のアップリンク制御情報とアップリンクデータに対してチャネル符号化及び変調を行い、前記ＰＵＳＣＨの時間周波数リソースにマッピングして伝送するように構成される第一の処理サブモジュールと、
前記時間領域重畳チャネルグループにおけるＰＵＣＣＨ伝送を放棄するように構成される第一の放棄サブモジュールと、を含むことを特徴とする
請求項１３に記載の装置。
【請求項１５】
前記伝送モジュールは、
アップリンクスケジューリングリクエストを含むすべてのアップリンク制御情報とアップリンクデータに対してチャネル符号化及び変調を行い、前記ＰＵＳＣＨの時間周波数リソースにマッピングして伝送するように構成される第二の処理サブモジュールと、
前記時間領域重畳チャネルグループにおけるＰＵＣＣＨ伝送を放棄するように構成される第一の放棄サブモジュールと、を含むことを特徴とする
請求項１３に記載の装置。
【請求項１６】
前記第二の処理サブモジュールは、前記アップリンクスケジューリングリクエストのビット情報に対して、アップリンクスケジューリングリクエストのチャネル符号化及び変調方式に従って、チャネル符号化及び変調を行い、変調されたアップリンクスケジューリングリクエストの変調シンボルとアップリンクデータをＰＵＳＣＨの時間周波数リソースにマッピングして伝送することを特徴とする
請求項１５に記載の装置。
【請求項１７】
前記第二の処理サブモジュールは、前記アップリンクスケジューリングリクエストのビット情報と、前記アップリンクスケジューリングリクエスト以外の他のアップリンク制御情報のビット情報とを併合し、併合された前記アップリンク制御情報のビット情報に対して、前記他のアップリンク制御情報のチャネル符号化及び変調方式に従って、独立したチャネル符号化及び変調を行い、変調された前記アップリンク制御情報の変調シンボルとアップリンクデータをＰＵＳＣＨの時間周波数リソースにマッピングして伝送することを特徴とする
請求項１５に記載の装置。
【請求項１８】
前記第二の処理サブモジュールは、前記アップリンクスケジューリングリクエストのビット情報に対して、予め設定された他のアップリンク制御情報のチャネル符号化及び変調方式に従って、独立したチャネル符号化及び変調を行い、変調された前記アップリンクスケジューリングリクエストの変調シンボルとアップリンクデータをＰＵＳＣＨの時間周波数リソースにマッピングして伝送することを特徴とする
請求項１５に記載の装置。
【請求項１９】
前記他のアップリンク制御情報は、アップリンクハイブリッド自動再送リクエスト（ＨＡＲＱ）フィードバック情報とチャネル状態情報のうちの１つを少なくとも含むことを特徴とする
請求項１７又は１８に記載の装置。
【請求項２０】
前記伝送モジュールは、
前記ＰＵＣＣＨを介して前記アップリンクスケジューリングリクエストを伝送するように構成される伝送サブモジュールと、
前記アップリンクスケジューリングリクエスト以外の他のアップリンク制御情報とアップリンクデータに対してチャネル符号化及び変調を行い、前記ＰＵＳＣＨの時間周波数リソースにマッピングして伝送するように構成される第三の処理サブモジュールと、
前記時間領域重畳チャネルグループにおける、前記アップリンクスケジューリングリクエストを伝送するためのＰＵＣＣＨ以外の他のＰＵＣＣＨの伝送を放棄するように構成される第二の放棄サブモジュールと、を含むことを特徴とする
請求項１３に記載の装置。
【請求項２１】
基地局に適用されるアップリンクデータ伝送装置であって、
１つの時間ユニットで伝送される時間領域重畳チャネルグループを決定するように構成され、前記時間領域重畳チャネルグループに１グループの物理アップリンク制御チャネル（ＰＵＣＣＨ）と１グループの物理アップリンク共有チャネル（ＰＵＳＣＨ）が含まれ、１グループのＰＵＣＣＨと１グループのＰＵＳＣＨに、時間領域で重畳しているＰＵＣＣＨとＰＵＳＣＨが含まれ、１グループのＰＵＣＣＨに、アップリンクスケジューリングリクエストを伝送するためのＰＵＣＣＨが含まれ、１グループのＰＵＳＣＨに、アップリンクデータを伝送するためのＰＵＳＣＨが含まれる決定モジュールと、
前記時間領域重畳チャネルグループによって伝送されるアップリンク制御情報とアップリンクデータの多重化伝送を受信するように構成され、前記アップリンク制御情報にアップリンクスケジューリングリクエストが含まれる受信モジュールと、を備える、前記アップリンク伝送装置。
【請求項２２】
前記受信モジュールは、
アップリンクデータを伝送するための前記ＰＵＳＣＨで、前記アップリンクスケジューリングリクエスト以外の他のアップリンク制御情報とアップリンクデータの変調シンボルを受信するように構成される第一の受信サブモジュールと、
アップリンクスケジューリングリクエストの受信を放棄するように構成される放棄サブモジュールと、を含むことを特徴とする
請求項２１に記載の装置。
【請求項２３】
前記受信モジュールは、
アップリンクデータを伝送するための前記ＰＵＳＣＨで、前記アップリンクスケジューリングリクエストを含むアップリンク制御情報を受信するように構成される第二の受信サブモジュールと、
アップリンクスケジューリングリクエストのチャネル復号及び復調方式に従って、多重化伝送されたアップリンクスケジューリングリクエストを取得するように構成される第一の復号及び復調サブモジュール、又は
予め設定された他のアップリンク制御情報のチャネル復号及び復調方式に従って、多重化伝送されたアップリンクスケジューリングリクエストを取得するように構成される第二の復号及び復調サブモジュール、又は
ＰＵＳＣＨで伝送されるアップリンクスケジューリングリクエスト以外の他のアップリンク制御情報のチャネル復号及び復調方式に従って、多重化伝送されたアップリンクスケジューリングリクエストを取得するように構成される第三の復号及び復調サブモジュールと、を含むことを特徴とする
請求項２１に記載の装置。
【請求項２４】
前記受信モジュールは、
アップリンクデータを伝送するための前記ＰＵＳＣＨで、前記アップリンクスケジューリングリクエスト以外の他のアップリンク制御情報とアップリンクデータの変調シンボルを受信するように構成される第三の受信サブモジュールと、
アップリンクサービスリクエストを伝送するためのＰＵＣＣＨで、アップリンクスケジューリングリクエストを受信するように構成される第四の受信サブモジュールと、を含むことを特徴とする
請求項２１に記載の装置。
【請求項２５】
アップリンク伝送装置であって、
プロセッサと、
プロセッサで実行可能な命令を記憶するように構成されるメモリと、を備え、
ここで、前記プロセッサは、
１つの時間ユニットで伝送される時間領域重畳チャネルグループを決定することであって、前記時間領域重畳チャネルグループに１グループの物理アップリンク制御チャネル（ＰＵＣＣＨ）と１グループの物理アップリンク共有チャネル（ＰＵＳＣＨ）が含まれ、１グループのＰＵＣＣＨと１グループのＰＵＳＣＨに、時間領域で重畳しているＰＵＣＣＨとＰＵＳＣＨがあり、１グループのＰＵＣＣＨに、アップリンクスケジューリングリクエストを伝送するためのＰＵＣＣＨが含まれ、１グループのＰＵＳＣＨに、アップリンクデータを伝送するためのＰＵＳＣＨが含まれることと、
前記時間領域重畳チャネルグループによって伝送されるアップリンク制御情報及びアップリンクデータに対して多重化伝送を行うことであって、前記アップリンク制御情報にアップリンクスケジューリングリクエストが含まれることと、を実行するように構成される、前記アップリンク伝送装置。
【請求項２６】
アップリンク伝送装置であって、
プロセッサと、
プロセッサで実行可能な命令を記憶するように構成されるメモリと、を備え、
ここで、前記プロセッサは、
１つの時間ユニットで伝送される時間領域重畳チャネルグループを決定することであって、前記時間領域重畳チャネルグループに１グループの物理アップリンク制御チャネル（ＰＵＣＣＨ）と１グループの物理アップリンク共有チャネル（ＰＵＳＣＨ）が含まれ、１グループのＰＵＣＣＨと１グループのＰＵＳＣＨに、時間領域で重畳しているＰＵＣＣＨとＰＵＳＣＨが含まれ、１グループのＰＵＣＣＨに、アップリンクスケジューリングリクエストを伝送するためのＰＵＣＣＨが含まれ、１グループのＰＵＳＣＨに、アップリンクデータを伝送するためのＰＵＳＣＨが含まれることと、
前記時間領域重畳チャネルグループによって伝送されるアップリンク制御情報とアップリンクデータの多重化伝送を受信することであって、前記アップリンク制御情報にアップリンクスケジューリングリクエストが含まれることと、を実行するように構成される、前記アップリンク伝送装置。
【請求項２７】
プロセッサによって実行されるとき、上記の請求項１〜８のうちのいずれか一項に記載の方法を実施するためのコンピュータ命令を記憶した、コンピュータ可読記憶媒体。
【請求項２８】
プロセッサによって実行されるとき、上記の請求項９〜１２のうちのいずれか一項に記載の方法を実施するためのコンピュータ命令を記憶した、コンピュータ可読記憶媒体。
【発明の詳細な説明】
【技術分野】
【０００１】
本発明は、通信技術分野に関し、特にアップリンク伝送方法及び装置に関する。
【背景技術】
【０００２】
関連技術では、新世代の新型インターネットアプリケーションの継続的な出現により、無線通信技術に対するより高い要求を出すため、アプリケーションニーズを満たすために無線通信技術の継続的な進化が推進されている。現在、セルラー移動通信技術は新世代の技術の進化段階にある。新世代の移動通信システムでは、システムのニーズを満たすためにアップリンク伝送をどのようにより良く設計するかは１つの重要な課題である。
【発明の概要】
【課題を解決するための手段】
【０００３】
本発明の実施例はアップリンク伝送方法及び装置を提供する。前記技術的解決手段は次のとおりである。
【０００４】
本発明の実施例の第一の態様によるアップリンク伝送方法は、
１つの時間ユニットで伝送される時間領域重畳チャネルグループを決定することであって、前記時間領域重畳チャネルグループに１グループの物理アップリンク制御チャネル（ＰＵＣＣＨ）と１グループの物理アップリンク共有チャネル（ＰＵＳＣＨ）が含まれ、１グループのＰＵＣＣＨと１グループのＰＵＳＣＨに、時間領域で重畳しているＰＵＣＣＨとＰＵＳＣＨがあり、１グループのＰＵＣＣＨに、アップリンクスケジューリングリクエストを伝送するためのＰＵＣＣＨが含まれ、１グループのＰＵＳＣＨに、アップリンクデータを伝送するためのＰＵＳＣＨが含まれることと、
前記時間領域重畳チャネルグループによって伝送される及びアップリンクデータに対して多重化伝送を行うことであって、前記アップリンク制御情報にアップリンクスケジューリングリクエストが含まれることと、を含む。
【０００５】
本発明の実施例によって提供される技術的解決手段は、本実施例において、時間領域重畳チャネルグループがある場合に、アップリンクスケジューリングリクエストとアップリンクデータの多重化伝送方式が提供されるという有益な効果を含むことができる。
【０００６】
１つの実施例では、前記時間領域重畳チャネルグループによって伝送されるアップリンク制御情報及びアップリンクデータに対して多重化伝送を行うことは、
前記アップリンク制御情報から前記アップリンクスケジューリングリクエストを除去することと、
アップリンクスケジューリングリクエストが除去された他のアップリンク制御情報とアップリンクデータに対してチャネル符号化及び変調を行い、前記ＰＵＳＣＨの時間周波数リソースにマッピングして伝送することと、
前記時間領域重畳チャネルグループにおけるＰＵＣＣＨ伝送を放棄することと、を含む。
【０００７】
本発明の実施例によって提供される技術的解決手段は、本実施例において、アップリンクスケジューリングリクエスト伝送を放棄する解決手段を採用し、他のアップリンク制御情報及びアップリンクデータに対して多重化伝送を行うという有益な効果を含むことができる。既存のプロトコルの規定は小さく変更される。
【０００８】
１つの実施例では、前記時間領域重畳チャネルグループによって伝送されるアップリンク制御情報及びアップリンクデータに対して多重化伝送を行うことは、
アップリンクスケジューリングリクエストを含むすべてのアップリンク制御情報とアップリンクデータに対してチャネル符号化及び変調を行い、前記ＰＵＳＣＨの時間周波数リソースにマッピングして伝送することと、
前記時間領域重畳チャネルグループにおけるＰＵＣＣＨ伝送を放棄することと、を含む。
【０００９】
本発明の実施例によって提供される技術的解決手段は、本実施例において、ＰＵＣＣＨを放棄し、すべてのアップリンク制御情報とアップリンクデータを、ＰＵＳＣＨの時間周波数リソースを多重化伝送し、アップリンクスケジューリングリクエストを他のアップリンク制御情報としてアップリンクデータと多重化伝送するという有益な効果を含むことができる。
【００１０】
１つの実施例では、アップリンクスケジューリングリクエストを含むすべてのアップリンク制御情報とアップリンクデータに対してチャネル符号化及び変調を行い、前記ＰＵＳＣＨの時間周波数リソースにマッピングして伝送することは、
前記アップリンクスケジューリングリクエストのビット情報に対して、アップリンクスケジューリングリクエストのチャネル符号化及び変調方式に従って、チャネル符号化及び変調を行うことと、
変調されたアップリンクスケジューリングリクエストの変調シンボルとアップリンクデータをＰＵＳＣＨの時間周波数リソースにマッピングして伝送することと、を含む。
【００１１】
本発明の実施例によって提供される技術的解決手段は、本実施例において、アップリンクスケジューリングリクエストを、それ自体のチャネル符号化及び変調方式に従って処理し、その後アップリンクデータと多重化伝送するという有益な効果を含むことができる。
【００１２】
１つの実施例では、アップリンクスケジューリングリクエストを含むすべてのアップリンク制御情報とアップリンクデータに対してチャネル符号化及び変調を行い、前記ＰＵＳＣＨの時間周波数リソースにマッピングして伝送することは、
前記アップリンクスケジューリングリクエストのビット情報と、前記アップリンクスケジューリングリクエスト以外の他のアップリンク制御情報のビット情報とを併合することと、
併合された前記アップリンク制御情報のビット情報に対して、前記他のアップリンク制御情報のチャネル符号化及び変調方式に従って、独立したチャネル符号化及び変調を行うことと、
変調された前記アップリンク制御情報の変調シンボルとアップリンクデータをＰＵＳＣＨの時間周波数リソースにマッピングして伝送することと、を含む。
【００１３】
本発明の実施例によって提供される技術的解決手段は、実施例において、アップリンクスケジューリングリクエストを、他のアップリンク制御情報のチャネル符号化及び変調方式に従って処理し、当該他のアップリンク制御情報が体重化伝送中の他のアップリンク制御情報であり、処理された後にアップリンクデータと多重化伝送されるという有益な効果を含むことができる。
【００１４】
１つの実施例では、アップリンクスケジューリングリクエストを含むすべてのアップリンク制御情報とアップリンクデータに対してチャネル符号化及び変調を行い、前記ＰＵＳＣＨの時間周波数リソースにマッピングして伝送することは、
前記アップリンクスケジューリングリクエストのビット情報に対して、予め設定された他のアップリンク制御情報のチャネル符号化及び変調方式に従って、独立したチャネル符号化及び変調を行うことと、
変調された前記アップリンクスケジューリングリクエストの変調シンボルとアップリンクデータをＰＵＳＣＨの時間周波数リソースにマッピングして伝送することと、を含む。
【００１５】
本発明の実施例によって提供される技術的解決手段は、本実施例において、アップリンクスケジューリングリクエストを、他のアップリンク制御情報のチャネル符号化及び変調方式に従って処理し、当該他のアップリンク制御情報が予め設定された他のアップリンク制御情報であり、処理された後にアップリンクデータと多重化伝送されるという有益な効果を含むことができる。
【００１６】
１つの実施例では、前記他のアップリンク制御情報は、アップリンクハイブリッド自動再送リクエスト（ＨＡＲＱ）フィードバック情報とチャネル状態情報のうちの１つを少なくとも含む。
【００１７】
本発明の実施例によって提供される技術的解決手段は、本実施例において、様々な他のアップリンク制御情報がサポートされているという有益な効果を含むことができる。
【００１８】
１つの実施例では、前記時間領域重畳チャネルグループによって伝送されるアップリンク制御情報及びアップリンクデータに対して多重化伝送を行うことは、
前記ＰＵＣＣＨを介して前記アップリンクスケジューリングリクエストを伝送することと、
前記アップリンクスケジューリングリクエスト以外の他のアップリンク制御情報とアップリンクデータに対してチャネル符号化及び変調を行い、前記ＰＵＳＣＨの時間周波数リソースにマッピングして伝送することと、
前記時間領域重畳チャネルグループにおける、前記アップリンクスケジューリングリクエストを伝送するためのＰＵＣＣＨ以外の他のＰＵＣＣＨの伝送を放棄することと、を含む。
【００１９】
本発明の実施例によって提供される技術的解決手段は、本実施例において、前記ＰＵＣＣＨを介してアップリンク制御情報を伝送することが保留され、解決手段が提供されるという有益な効果を含むことができる。
【００２０】
本発明の実施例の第二の態様によるアップリンク伝送方法は、
物理アップリンク共有チャネル（ＰＵＳＣＨ）、又はＰＵＳＣＨ及び物理アップリンク制御チャネル（ＰＵＣＣＨ）を受信することと、
ＰＵＳＣＨ、又はＰＵＳＣＨ及びＰＵＣＣＨにより、多重化伝送されたアップリンク制御情報とアップリンクデータを解析することであって、前記アップリンク制御情報にアップリンクスケジューリングリクエストが含まれることと、を含む。
【００２１】
１つの実施例では、ＰＵＳＣＨにより、多重化伝送されたアップリンクスケジューリングリクエストを解析することは、
アップリンクスケジューリングリクエストのチャネル復号及び復調方式に従って、ＰＵＳＣＨにより、多重化伝送されたアップリンクスケジューリングリクエストを取得すること、又は
予め設定された他のアップリンク制御情報のチャネル復号及び復調方式に従って、ＰＵＳＣＨにより、多重化伝送されたアップリンクスケジューリングリクエストを取得すること、又は
ＰＵＳＣＨで伝送される、アップリンクスケジューリングリクエスト以外の他のアップリンク制御情報のチャネル復号及び復調方式に従って、ＰＵＳＣＨにより、多重化伝送されたアップリンクスケジューリングリクエストを取得することを含む。
【００２２】
１つの実施例では、前記アップリンク制御情報はアップリンクスケジューリングリクエスト以外の他のアップリンク制御情報を含み、
前記ＰＵＳＣＨ及びＰＵＣＣＨにより、多重化伝送されたアップリンク制御情報とアップリンクデータを解析することは、
ＰＵＳＣＨにより、多重化伝送された他のアップリンク制御情報とアップリンクデータを解析することと、
ＰＵＣＣＨにより、アップリンクスケジューリングリクエストを解析することと、を含む。
【００２３】
本発明の実施例の第三の態様によるアップリンク伝送装置は、
１つの時間ユニットで伝送される時間領域重畳チャネルグループを決定するように構成され、前記時間領域重畳チャネルグループに１グループの物理アップリンク制御チャネル（ＰＵＣＣＨ）と１グループの物理アップリンク共有チャネル（ＰＵＳＣＨ）が含まれ、１グループのＰＵＣＣＨと１グループのＰＵＳＣＨに、時間領域で重畳しているＰＵＣＣＨとＰＵＳＣＨがあり、１グループのＰＵＣＣＨに、アップリンクスケジューリングリクエストを伝送するためのＰＵＣＣＨが含まれ、１グループのＰＵＳＣＨに、アップリンクデータを伝送するためのＰＵＳＣＨが含まれる決定モジュールと、
前記時間領域重畳チャネルグループによって伝送されるアップリンク制御情報及びアップリンクデータに対して多重化伝送を行うように構成され、前記アップリンク制御情報にアップリンクスケジューリングリクエストが含まれる伝送モジュールと、を備える。
【００２４】
一つの実施例において、前記伝送モジュールは、
前記アップリンク制御情報から前記アップリンクスケジューリングリクエストを除去するように構成される除去サブモジュールと、
アップリンクスケジューリングリクエストが除去された他のアップリンク制御情報とアップリンクデータに対してチャネル符号化及び変調を行い、前記ＰＵＳＣＨの時間周波数リソースにマッピングして伝送するように構成される第一の処理サブモジュールと、
前記時間領域重畳チャネルグループにおけるＰＵＣＣＨ伝送を放棄するように構成される第一の放棄サブモジュールと、を含む。
【００２５】
一つの実施例において、前記伝送モジュールは、
アップリンクスケジューリングリクエストを含むすべてのアップリンク制御情報とアップリンクデータに対してチャネル符号化及び変調を行い、前記ＰＵＳＣＨの時間周波数リソースにマッピングして伝送するように構成される第二の処理サブモジュールと、
前記時間領域重畳チャネルグループにおけるＰＵＣＣＨ伝送を放棄するように構成される第一の放棄サブモジュールと、を含む。
【００２６】
１つの実施例では、前記第二の処理サブモジュールは、前記アップリンクスケジューリングリクエストのビット情報に対して、アップリンクスケジューリングリクエストのチャネル符号化及び変調方式に従って、チャネル符号化及び変調を行い、変調されたアップリンクスケジューリングリクエストの変調シンボルとアップリンクデータをＰＵＳＣＨの時間周波数リソースにマッピングして伝送する。
【００２７】
１つの実施例では、前記第二の処理サブモジュールは、前記アップリンクスケジューリングリクエストのビット情報と、前記アップリンクスケジューリングリクエスト以外の他のアップリンク制御情報のビット情報とを併合し、併合された前記アップリンク制御情報のビット情報に対して、前記他のアップリンク制御情報のチャネル符号化及び変調方式に従って、独立したチャネル符号化及び変調を行い、変調された前記アップリンク制御情報の変調シンボルとアップリンクデータをＰＵＳＣＨの時間周波数リソースにマッピングして伝送する。
【００２８】
１つの実施例では、前記第二の処理サブモジュールは、前記アップリンクスケジューリングリクエストのビット情報に対して、予め設定された他のアップリンク制御情報のチャネル符号化及び変調方式に従って、独立したチャネルを符号化及び変調を行い、変調された前記アップリンクスケジューリングリクエストの変調シンボルとアップリンクデータをＰＵＳＣＨの時間周波数リソースにマッピングして伝送する。
【００２９】
１つの実施例では、前記他のアップリンク制御情報は、アップリンクＨＡＲＱフィードバック情報とチャネル状態情報のうちの１つを少なくとも含む。
【００３０】
一つの実施例において、前記伝送モジュールは、
前記ＰＵＣＣＨを介して前記アップリンクスケジューリングリクエストを伝送するように構成される伝送サブモジュールと、
前記アップリンクスケジューリングリクエスト以外の他のアップリンク制御情報とアップリンクデータに対してチャネル符号化及び変調を行い、前記ＰＵＳＣＨの時間周波数リソースにマッピングして伝送するように構成される第三の処理サブモジュールと、
前記時間領域重畳チャネルグループにおける、前記アップリンクスケジューリングリクエストを伝送するためのＰＵＣＣＨ以外の他のＰＵＣＣＨの伝送を放棄するように構成される第二の放棄サブモジュールと、を含む。
【００３１】
本発明の実施例の第四の態様によるアップリンク伝送装置は、
物理アップリンク共有チャネル（ＰＵＳＣＨ）、又はＰＵＳＣＨ及び物理アップリンク制御チャネル（ＰＵＣＣＨ）を受信するように構成される受信モジュールと、
ＰＵＳＣＨ、又はＰＵＳＣＨ及びＰＵＣＣＨにより、多重化伝送されたアップリンク制御情報とアップリンクデータを解析するように構成され、前記アップリンク制御情報にアップリンクスケジューリングリクエストが含まれる解析モジュールと、を備える。
【００３２】
一つの実施例において、前記解析モジュールは、
アップリンクスケジューリングリクエストのチャネル復号及び復調方式に従って、ＰＵＳＣＨにより、多重化伝送されたアップリンクスケジューリングリクエストを取得するように構成される第一の復号及び復調サブモジュール、又は
予め設定された他のアップリンク制御情報のチャネル復号及び復調方式に従って、ＰＵＳＣＨにより、多重化伝送されたアップリンクスケジューリングリクエストを取得するように構成される第二の復号及び復調サブモジュール、又は
ＰＵＳＣＨで伝送される、アップリンクスケジューリングリクエスト以外の他のアップリンク制御情報のチャネル復号及び復調方式に従って、ＰＵＳＣＨにより、多重化伝送されたアップリンクスケジューリングリクエストを取得するように構成される第三の復号及び復調サブモジュールと、を含む。
【００３３】
１つの実施例では、前記アップリンク制御情報はアップリンクスケジューリングリクエスト以外の他のアップリンク制御情報を含み、
前記解析モジュールは、
ＰＵＳＣＨにより、多重化伝送された他のアップリンク制御情報とアップリンクデータを解析するように構成される第一の解析サブモジュールと、
ＰＵＣＣＨにより、アップリンクスケジューリングリクエストを解析するように構成される第二の解析サブモジュールと、を含む。
【００３４】
本発明の実施例の第五の態様によるアップリンク伝送装置は、
プロセッサと、
プロセッサで実行可能な命令を記憶するように構成されるメモリと、を備え、
ここで、前記プロセッサは、
１つの時間ユニットで伝送される時間領域重畳チャネルグループを決定することであって、前記時間領域重畳チャネルグループに１グループの物理アップリンク制御チャネル（ＰＵＣＣＨ）と１グループの物理アップリンク共有チャネル（ＰＵＳＣＨ）が含まれ、１グループのＰＵＣＣＨと１グループのＰＵＳＣＨに、時間領域で重畳しているＰＵＣＣＨとＰＵＳＣＨがあり、１グループのＰＵＣＣＨにアップリンクスケジューリングリクエストを伝送するためのＰＵＣＣＨが含まれ、１グループのＰＵＳＣＨにアップリンクデータを伝送するためのＰＵＳＣＨが含まれることと、
前記時間領域重畳チャネルグループによって伝送されるアップリンク制御情報及びアップリンクデータに対して多重化伝送を行うことであって、前記アップリンク制御情報にアップリンクスケジューリングリクエストが含まれることと、を実行するように構成される。
【００３５】
本発明の実施例の第六の態様によるアップリンク伝送装置は、
プロセッサと、
プロセッサで実行可能な命令を記憶するように構成されるメモリと、を備え、
ここで、前記プロセッサは、
物理アップリンク共有チャネル（ＰＵＳＣＨ）、又はＰＵＳＣＨ及び物理アップリンク制御チャネル（ＰＵＣＣＨ）を受信することと、
ＰＵＳＣＨ、又はＰＵＳＣＨ及びＰＵＣＣＨにより、多重化伝送されたアップリンク制御情報とアップリンクデータを解析することであって、前記アップリンク制御情報にアップリンクスケジューリングリクエストが含まれることと、を実行するように構成される。
【００３６】
本発明の実施例の第七の態様によるコンピュータ可読記憶媒体は、コンピュータ命令を記憶し、当該命令がプロセッサによって実行されるときに、上記ユーザ機器側でのアップリンク伝送方法が実現される。
【００３７】
本発明の実施例の第八の態様によるコンピュータ可読記憶媒体は、コンピュータ命令を記憶し、当該命令がプロセッサによって実行されるときに、上記基地局側でのアップリンク伝送方法が実現される。
【００３８】
当然のことながら、以上の一般的な説明及び以下の詳細な説明が例示的及び説明的なものだけであり、本発明を限定できないことは理解できる。
【図面の簡単な説明】
【００３９】
【図１】一つの例示的な実施例によるアップリンク伝送の概略図である。
【図２】一つの例示的な実施例によるアップリンク伝送方法のフローチャートである。
【図３】一つの例示的な実施例によるアップリンク伝送の概略図である。
【図４】一つの例示的な実施例によるアップリンク伝送の概略図である。
【図５】一つの例示的な実施例によるアップリンク伝送の概略図である。
【図６】一つの例示的な実施例によるアップリンク伝送の概略図である。
【図７】一つの例示的な実施例によるアップリンク伝送方法のフローチャートである。
【図８】一つの例示的な実施例によるアップリンク伝送方法のフローチャートである。
【図９】一つの例示的な実施例によるアップリンク伝送方法のフローチャートである。
【図１０】一つの例示的な実施例によるアップリンク伝送方法のフローチャートである。
【図１１】一つの例示的な実施例によるアップリンク伝送方法のフローチャートである。
【図１２】一つの例示的な実施例によるアップリンク伝送方法のフローチャートである。
【図１３】一つの例示的な実施例によるアップリンク伝送装置のブロック図である。
【図１４】一つの例示的実施例による伝送モジュールのブロック図である。
【図１５】一つの例示的実施例による伝送モジュールのブロック図である。
【図１６】一つの例示的実施例による伝送モジュールのブロック図である。
【図１７】一つの例示的な実施例によるアップリンク伝送装置のブロック図である。
【図１８】一つの例示的実施例による受信モジュールのブロック図である。
【図１９Ａ】一つの例示的実施例による受信モジュールのブロック図である。
【図１９Ｂ】一つの例示的実施例による受信モジュールのブロック図である。
【図２０】一つの例示的な実施例によるアップリンク伝送に適用する装置のブロック図である。
【図２１】一つの例示的な実施例によるアップリンク伝送に適用する装置のブロック図である。
【発明を実施するための形態】
【００４０】
ここでの添付図面は本明細書に組み込まれて本明細書の一部を構成し、本発明に該当する実施例を示し、そして明細書と共に本発明の原理を解釈することに用いられる。
【００４１】
ここで例示的実施例を詳しく説明し、その例が図面に示される。以下の説明が図面に関する時に、特に明記しない限り、異なる図面における同じ数字は同じ又は類似の要素を表す。以下の例示的な実施例で説明される実施形態は本発明に一致する全ての実施形態を表すものではない。これに対して、それらは添付の特許請求の範囲に詳細に説明される、本発明のいくつかの態様に一致する装置及び方法の例に過ぎない。
【００４２】
関連技術では、アップリンク制御情報（ＵＣＩ：Ｕｐｌｉｎｋ  Ｃｏｎｔｒｏｌ  Ｉｎｆｏｒｍａｔｉｏｎ）は、ハイブリッド自動再送リクエスト（ＨＡＲＱ：Ｈｙｂｒｉｄ  Ａｕｔｏｍａｔｉｃ  Ｒｅｐｅａｔ  ｒｅＱｕｅｓｔ）指示情報、スケジューリングリクエスト（ＳＲ：Ｓｃｈｅｄｕｌｉｎｇ  Ｒｅｑｕｅｓｔ）とチャネル状態情報（ＣＳＩ：Ｃｈａｎｎｅｌ  Ｓｔａｔｅ  Ｉｎｆｏｒｍａｔｉｏｎ）を含む。ここでＳＲは、基地局側へアップリンクリソーススケジューリングを申請するためにユーザ機器によって使用される。新しい無線（ＮＲ：Ｎｅｗ  Ｒａｄｉｏ）では、サービス品質（ＱｏＳ：Ｑｕａｌｉｔｙ  ｏｆ  Ｓｅｒｖｉｃｅ）要求が異なる複数種類のサービス（品質／安全性）をサポートするために、同じユーザ機器は複数の異なるＳＲ構成で構成されてもよい。
【００４３】
ユーザ機器のメディアアクセス制御（ＭＡＣ：Ｍｅｄｉａ  Ａｃｃｅｓｓ  Ｃｏｎｔｒｏｌ）層にはＳＲが物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）と時間領域で重なり合う物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）で伝送されないことを保証し、したがって、既存のプロトコルの規定ではＳＲとＰＵＳＣＨをどのように多重化伝送を実行するかの解決手段がない。しかし、図１に示すように、ＳＲを伝送するためのＰＵＣＣＨとＨＡＲＱを伝送するためのＰＵＣＣＨは時間領域で重なり合うが、ＨＡＲＱを伝送するためのＰＵＣＣＨとアップリンクデータを伝送するためのＰＵＳＣＨは時間領域で重なり合う。ＳＲを伝送するためのＰＵＣＣＨとアップリンクデータを伝送するためのＰＵＳＣＨは時間領域で重なり合わないが、一定の条件を満たしている場合、ＨＡＲＱを伝送するためのＰＵＣＣＨが存在するため、ＳＲとＰＵＳＣＨの多重化伝送が発生する。
【００４４】
上記問題を解決するために、本実施例において、時間領域重畳チャネルグループが存在する時に、どのようにアップリンク情報を伝送するかの解決手段が提供される。
【００４５】
図２は一例示的な実施例によるアップリンク伝送方法のフローチャートであり、当該アップリンク伝送方法は、移動ネットワークのユーザ機器に用いられ、ここで、ユーザ機器が携帯電話、コンピュータ、デジタル放送端末、メッセージ送受信機器、ゲームコンソール、タブレットデバイス、医療機器、フィットネスデバイス、パーソナルデジタルアシスタントなどであってもよい。図２に示すように、当該方法は次のステップ２０１〜ステップ２０２を含む。
【００４６】
ステップ２１０で、１つの時間ユニットで伝送される時間領域重畳チャネルグループを決定し、前記時間領域重畳チャネルグループに１グループのＰＵＣＣＨ（物理アップリンク制御チャネル）と１グループのＰＵＳＣＨ（物理アップリンク共有チャネル）が含まれ、１グループのＰＵＣＣＨと１グループのＰＵＳＣＨに、時間領域で重畳しているＰＵＣＣＨとＰＵＳＣＨがあり、１グループのＰＵＣＣＨに、アップリンクスケジューリングリクエスト（ＳＲ：Ｓｃｈｅｄｕｌｉｎｇ  Ｒｅｑｕｅｓｔ）を伝送するためのＰＵＣＣＨが含まれ、１グループのＰＵＳＣＨに、アップリンクデータを伝送するためのＰＵＳＣＨが含まれる。
【００４７】
ステップ２０２で、前記時間領域重畳チャネルグループによって伝送される及びアップリンクデータに対して多重化伝送を行い、前記アップリンク制御情報にアップリンクスケジューリングリクエストが含まれる。
【００４８】
本実施例において、１グループのＰＵＣＣＨはアップリンクスケジューリングリクエストを伝送するためのＰＵＣＣＨを含み、また、アップリンクスケジューリングリクエスト以外の他のアップリンク制御情報を伝送するためのＰＵＣＣＨを含む可能性もある。ユーザ機器が、１つのＰＵＣＣＨと１つのＰＵＳＣＨが時間領域で重畳することを決定した場合、時間領域重畳チャネルグループが存在する。時間領域で重畳しているＰＵＣＣＨは、アップリンクスケジューリングリクエストを送信するためのＰＵＣＣＨ、及び／又は他のアップリンク制御情報を伝送するためのＰＵＣＣＨである可能性がある。
【００４９】
時間ユニットは、一つのタイムスロット又は他の時間ユニットであってもよい。
【００５０】
伝送待ち時間領域重畳チャネルグループが存在することを決定する時に、前記時間領域重畳チャネルグループによって伝送されるアップリンク制御情報及びアップリンクデータに対して多重化伝送を行う。これは、アップリンクスケジューリングリクエストを伝送するかどうか、アップリンクスケジューリングリクエストが送信される場合、どのようにアップリンクスケジューリングリクエストを伝送するかを含む。これに関連して、他のアップリンク制御情報があるか否か、他のアップリンク制御情報とアップリンクデータがどのように伝送されるか。
【００５１】
他のアップリンク制御情報は、アップリンクハイブリッド自動再送リクエスト（ＨＡＲＱ：Ｈｙｂｒｉｄ  Ａｕｔｏｍａｔｉｃ  Ｒｅｐｅａｔ  ｒｅＱｕｅｓｔ）フィードバック情報とチャネル状態情報（ＣＳＩ：Ｃｈａｎｎｅｌ  Ｓｔａｔｅ  Ｉｎｆｏｒｍａｔｉｏｎ）のうちの１つを少なくとも含む。
【００５２】
一つの実施例では、前記ステップ２０２はステップＡ１〜ステップＡ３を含む。
【００５３】
ステップＡ１で、前記アップリンク制御情報から前記アップリンクスケジューリングリクエストを除去する。
【００５４】
ステップＡ２で、アップリンクスケジューリングリクエストが除去された他のアップリンク制御情報とアップリンクデータに対してチャネル符号化及び変調を行い、前記ＰＵＳＣＨの時間周波数リソースにマッピングして伝送する。
【００５５】
ステップＡ３で、前記時間領域重畳チャネルグループにおけるＰＵＣＣＨ伝送を放棄する。
【００５６】
本実施例において、伝送されるアップリンクスケジューリングリクエストがある場合、アップリンクスケジューリングリクエストを除去し、ＰＵＣＣＨ伝送を放棄する。伝送される他のアップリンク制御情報がある場合、他のアップリンク制御情報とアップリンクデータはＰＵＳＣＨの時間領域リソースに多重化されて伝送される。このようにして、既存のプロトコルの規定への影響が少なく、プロトコルスキームによる効果も得られる。
【００５７】
図３に示すように、ＰＵＣＣＨ伝送が放棄され、他のアップリンク制御情報についてＨＡＲＱフィードバック情報を例とし、ＨＡＲＱはアップリンクデータ（ｄａｔａ）と多重化され、ＰＵＳＣＨ時間周波数リソースによって送信される。他のアップリンク制御情報は、それ自体のチャネル符号化及び変調方式を採用して処理され、その後ＰＵＳＣＨの時間周波数リソースにマッピングされる。アップリンクデータもそれ自体のチャネル符号化及び変調方式を採用して処理され、その後ＰＵＳＣＨの時間周波数リソースにマッピングされる。
【００５８】
一つの実施例では、前記ステップ２０２はステップＢ１〜ステップＢ２を含む。
【００５９】
ステップＢ１で、アップリンクスケジューリングリクエストを含むすべてのアップリンク制御情報とアップリンクデータに対してチャネル符号化及び変調を行い、前記ＰＵＳＣＨの時間周波数リソースにマッピングして伝送する。
【００６０】
ステップＢ２で、前記時間領域重畳チャネルグループにおけるＰＵＣＣＨ伝送を放棄する。
【００６１】
本実施例において、ＰＵＣＣＨ伝送が放棄されるが、アップリンクスケジューリングリクエストは、放棄されずにアップリンクデータと多重化されて伝送される。様々な実現方式があり、以下の実施例を参照する。
【００６２】
一つの実施例では、前記ステップＢ１は、ステップＢ１１−ステップＢ１２を含む。
【００６３】
ステップＢ１１で、前記アップリンクスケジューリングリクエストのビット情報に対して、アップリンクスケジューリングリクエストのチャネル符号化及び変調方式に従って、チャネル符号化及び変調を独立して行う。
【００６４】
ステップＢ１２で、変調されたアップリンクスケジューリングリクエストの変調シンボルとアップリンクデータをＰＵＳＣＨの時間周波数リソースにマッピングして伝送する。
【００６５】
本実施例において、データ情報形態のアップリンクスケジューリングリクエストをビット情報形態のアップリンクスケジューリングリクエストに変換し、アップリンクスケジューリングリクエストのビット情報を得る。アップリンクスケジューリングリクエストのビット情報は、アップリンクサービスリクエストがアクティブ化されているか否か、及び複数のアップリンクサービスリクエスト構成がある場合、どのアップリンクサービスリクエストがアクティブ化されているか否かを示す。その後、ビット情報に対してチャネル符号化及び変調を行う。
【００６６】
多重化伝送する時にアップリンクスケジューリングリクエストのチャネル符号化及び変調方式は、基地局側によって予め設定されてもよいし、アップリンクリクエスト情報のビット数、アップリンクデータ伝送のビット数及び／又は変調及び符号化スキーム、ＰＵＳＣＨ時間周波数ユニットによって共同で決定されてもよい。多重化伝送する必要がある場合、前記アップリンクスケジューリングリクエストのビット情報に対して、アップリンクスケジューリングリクエストのチャネル符号化及び変調方式に従って、チャネル符号化及び変調を独立して行う。その後、変調されたアップリンクスケジューリングリクエストの変調シンボルをＰＵＳＣＨの時間周波数リソースの特定の時間周波数リソースユニット位置にマッピングして伝送する。具体的な時間周波数リソースユニット位置は、予め規定又は設定されてもよい。例えば、復調基準シンボルに隣接する時間領域シンボルにマッピングし、そしてＰＵＳＣＨに占有されている周波数領域帯域幅に均一に分布する。
【００６７】
本実施例において、送信する必要がある他のアップリンク制御情報も存在してもよく、他のアップリンク制御情報も、それ自体のチャネル符号化及び変調方式に従って対応する変調シンボルを生成する。アップリンクデータも基地局から通知された符号化及び変調方式に従って変調シンボルを生成する。アップリンクスケジューリングリクエストの変調シンボル、他のアップリンク制御情報の変調シンボル、及びアップリンクデータの変調シンボルは、所定の順序でそれらに対応するＰＵＳＣＨの時間周波数リソース位置に順次マッピングされてもよい。例えば、まずアップリンクスケジューリングリクエストの変調シンボルをマップし、次にＨＡＲＱフィードバック情報の変調シンボルをマッピングし、次にチャネル状態情報の変調シンボルをマッピングし、最後にアップリンクデータの変調シンボルをマッピングすることができ、まず他のアップリンク制御情報及び／又はアップリンクデータの変調シンボルをマッピングし、次にアップリンクスケジューリングリクエストの変調シンボルをマッピングすることもでき、アップリンクデータとアップリンクサービスリクエストの変調シンボルが同じ時間周波数リソース位置にマッピングされている場合、アップリンクサービスリクエストの変調シンボルは、先にマッピングされたアップリンクデータの変調シンボルを置き換える。図４に示すように、ＰＵＣＣＨ伝送が放棄され、アップリンクスケジューリングリクエスト、他のアップリンク制御情報とアップリンクデータの三方はＰＵＳＣＨの時間周波数リソースを共同で多重化する。
【００６８】
一つの実施例では、前記ステップＢ１は、ステップＢ１３〜ステップＢ１５を含む。
【００６９】
ステップＢ１３で、前記アップリンクスケジューリングリクエストのビット情報と、前記アップリンクスケジューリングリクエスト以外の他のアップリンク制御情報のビット情報とを併合する。
【００７０】
ステップＢ１４で、併合された前記アップリンク制御情報のビット情報に対して、前記他のアップリンク制御情報のチャネル符号化及び変調方式に従って、独立したチャネル符号化及び変調を行う。
【００７１】
ステップＢ１５で、変調された前記アップリンク制御情報の変調シンボルとアップリンクデータをＰＵＳＣＨの時間周波数リソースにマッピングして伝送する。
【００７２】
本実施例において、他のアップリンク制御情報が伝送される必要がある場合、ＨＡＲＱとＣＳＩなどの複数種類の他のアップリンク制御情報が存在する可能性がある。サービスリクエスト情報以外の異なる種類の他のアップリンク制御情報とアップリンクデータが多重化されて伝送される時のチャネル符号化と変調方式及びリソースマッピングスキームについて、プロトコルＳ３８．２１１、ＴＳ３８．２１２、およびＴＳ３８．２１３を参照することができる。したがって、アップリンクスケジューリングリクエストのビット情報は、送信する必要がある他の種類のアップリンク制御情報のビット情報と併合し、同じスキームに従ってアップリンクデータと多重化伝送さ、当該他のアップリンク制御情報と共にチャネル符号化及び変調されてもよい。
【００７３】
上記他のアップリンク制御情報以外の他のアップリンク制御情報が伝送される必要がある場合、当該他のアップリンク制御情報は、それ自体のチャネル符号化及び変調方式に従って独立して処理される。
【００７４】
アップリンクデータもそれ自体のチャネル符号化及び変調方式に従って独立して処理される。
【００７５】
上記の変調により得られた変調シンボルをＰＵＳＣＨの時間周波数リソースにマッピングして伝送することは、図４に示す例を参照することができる。
【００７６】
一つの実施例では、前記ステップＢ１は、ステップＢ１６〜ステップＢ１７を含む。
【００７７】
ステップＢ１６で、前記アップリンクスケジューリングリクエストのビット情報に対して、予め設定された他のアップリンク制御情報のチャネル符号化及び変調方式に従って、独立したチャネル符号化及び変調を行う。
【００７８】
ステップＢ１７で、変調された前記アップリンクスケジューリングリクエストの変調シンボルとアップリンクデータをＰＵＳＣＨの時間周波数リソースにマッピングして伝送する。
【００７９】
本実施例において、他のアップリンク制御情報が伝送される必要がない。しかしながら、アップリンクスケジューリングリクエストは、他のアップリンク制御情報のチャネル符号化及び変調方式に従って、独立したチャネル符号化及び変調を行う必要がある。当該他のアップリンク制御情報が予め設定されるため、他のアップリンク制御情報が伝送される必要があるか否かに関わらず、当該他のアップリンク制御情報のチャネル符号化及び変調方式に従って、アップリンクスケジューリングリクエストに対してチャネル符号化及び変調を行う。
【００８０】
アップリンクデータはそれ自体のチャネル符号化及び変調方式に従って独立して処理される。
【００８１】
図５に示すように、上記の変調により得られた変調シンボルをＰＵＳＣＨの時間周波数リソースにマッピングして伝送する。
【００８２】
一つの実施例では、前記ステップ２０２はステップＣ１〜ステップＣ３を含む。
【００８３】
ステップＣ１で、前記ＰＵＣＣＨを介して前記アップリンクスケジューリングリクエストを伝送する。
【００８４】
ステップＣ３で、前記アップリンクスケジューリングリクエスト以外の他のアップリンク制御情報とアップリンクデータに対してチャネル符号化及び変調を行い、前記ＰＵＳＣＨの時間周波数リソースにマッピングして伝送する。
【００８５】
ステップＣ３で、前記時間領域重畳チャネルグループにおける、前記アップリンクスケジューリングリクエストを伝送するためのＰＵＣＣＨ以外の他のＰＵＣＣＨの伝送を放棄する。
【００８６】
本実施例において、ユーザ機器は、時間領域重複チャネルグループが伝送される必要があることを決定した場合でも、前記ＰＵＣＣＨを介して前記アップリンクスケジューリングリクエストを伝送する。図６に示すように、他のアップリンク制御情報とアップリンクデータは前記ＰＵＳＣＨの時間周波数リソースにマッピングされて伝送される。
【００８７】
アップリンクスケジューリングリクエスト、他のアップリンク制御情報、及びアップリンクデータは、それぞれのチャネル符号化及び変調方式に従ってそれぞれ処理される。
【００８８】
以下に実施プロセスをいくつかの実施例で詳細に説明する。
【００８９】
図７は一例示的な実施例によるアップリンク伝送方法のフローチャートである、当該アップリンク伝送方法は、移動ネットワークのユーザ機器に用いられ、ここで、ユーザ機器が携帯電話、コンピュータ、デジタル放送端末、メッセージ送受信機器、ゲームコンソール、タブレットデバイス、医療機器、フィットネスデバイス、パーソナルデジタルアシスタントなどであってもよい。図７に示すように、当該方法は次のステップ７０１〜ステップ７０４を含む。
【００９０】
ステップ７０１で、１つの時間ユニットで伝送される時間領域重畳チャネルグループを決定し、前記時間領域重畳チャネルグループに１グループのＰＵＣＣＨ（物理アップリンク制御チャネル）と１グループのＰＵＳＣＨ（物理アップリンク共有チャネル）が含まれ、１グループのＰＵＣＣＨと１グループのＰＵＳＣＨに、時間領域で重畳しているＰＵＣＣＨとＰＵＳＣＨがあり、１グループのＰＵＣＣＨに、アップリンクスケジューリングリクエスト（ＳＲ：Ｓｃｈｅｄｕｌｉｎｇ  Ｒｅｑｕｅｓｔ）を伝送するためのＰＵＣＣＨが含まれ、１グループのＰＵＳＣＨにアップリンクデータを伝送するためのＰＵＳＣＨが含まれる。
【００９１】
ステップ７０２で、前記アップリンク制御情報から前記アップリンクスケジューリングリクエストを除去する。
【００９２】
ステップ７０３で、アップリンクスケジューリングリクエストが除去された他のアップリンク制御情報とアップリンクデータに対してチャネル符号化及び変調を行い、前記ＰＵＳＣＨの時間周波数リソースにマッピングして伝送する。
【００９３】
ステップ７０４で、前記時間領域重畳チャネルグループにおけるＰＵＣＣＨ伝送を放棄する。
【００９４】
図８は一例示的な実施例によるアップリンク伝送方法のフローチャートである、当該アップリンク伝送方法は、移動ネットワークのユーザ機器に用いられ、ここで、ユーザ機器が携帯電話、コンピュータ、デジタル放送端末、メッセージ送受信機器、ゲームコンソール、タブレットデバイス、医療機器、フィットネスデバイス、パーソナルデジタルアシスタントなどであってもよい。図７に示すように、当該方法は次のステップ８０１〜ステップ８０６を含む。
【００９５】
ステップ８０１で、１つの時間ユニットで伝送される時間領域重畳チャネルグループを決定し、前記時間領域重畳チャネルグループに１グループのＰＵＣＣＨ（物理アップリンク制御チャネル）と１グループのＰＵＳＣＨ（物理アップリンク共有チャネル）が含まれ、１グループのＰＵＣＣＨと１グループのＰＵＳＣＨに、時間領域で重畳しているＰＵＣＣＨとＰＵＳＣＨがあり、１グループのＰＵＣＣＨに、アップリンクスケジューリングリクエスト（ＳＲ：Ｓｃｈｅｄｕｌｉｎｇ  Ｒｅｑｕｅｓｔ）を伝送するためのＰＵＣＣＨが含まれ、１グループのＰＵＳＣＨに、アップリンクデータを伝送するためのＰＵＳＣＨが含まれる。
【００９６】
ステップ８０２で、アップリンクスケジューリングリクエストをデータ情報形態からビット情報形態に変換し、アップリンクスケジューリングリクエストのビット情報を得る。
【００９７】
ステップ８０３で、前記アップリンクスケジューリングリクエストのビット情報に対して、アップリンクスケジューリングリクエストのチャネル符号化及び変調方式に従って、チャネル符号化及び変調を行う。
【００９８】
ステップ８０４で、アップリンクデータに対して、アップリンクデータのチャネル符号化及び変調方式に従って、チャネル符号化及び変調を行う。
【００９９】
ここで、ステップ８０３とステップ８０４は同期して行われてもよい。
【０１００】
ステップ８０５で、変調されたアップリンクスケジューリングリクエストとアップリンクデータの変調シンボルをＰＵＳＣＨの時間周波数リソースにマッピングして伝送する。
【０１０１】
ステップ８０６で、前記時間領域重畳チャネルグループにおけるＰＵＣＣＨ伝送を放棄する。
【０１０２】
ここで、ステップ８０６とステップ８０２−８０５は２つの独立したプロセスであり、同期して行われてもよい。
【０１０３】
図９は一例示的な実施例によるアップリンク伝送方法のフローチャートである、当該アップリンク伝送方法は、移動ネットワークのユーザ機器に用いられ、ここで、ユーザ機器が携帯電話、コンピュータ、デジタル放送端末、メッセージ送受信機器、ゲームコンソール、タブレットデバイス、医療機器、フィットネスデバイス、パーソナルデジタルアシスタントなどであってもよい。図７に示すように、当該方法は次のステップ９０１〜ステップ９０７を含む。
【０１０４】
ステップ９０１で、１つの時間ユニットで伝送される時間領域重畳チャネルグループを決定し、前記時間領域重畳チャネルグループに１グループのＰＵＣＣＨ（物理アップリンク制御チャネル）と１グループのＰＵＳＣＨ（物理アップリンク共有チャネル）が含まれ、１グループのＰＵＣＣＨと１グループのＰＵＳＣＨに、時間領域で重畳しているＰＵＣＣＨとＰＵＳＣＨがあり、１グループのＰＵＣＣＨに、アップリンクスケジューリングリクエスト（ＳＲ：Ｓｃｈｅｄｕｌｉｎｇ  Ｒｅｑｕｅｓｔ）を伝送するためのＰＵＣＣＨが含まれ、１グループのＰＵＳＣＨに、アップリンクデータを伝送するためのＰＵＳＣＨが含まれる。
【０１０５】
ステップ９０２で、アップリンクスケジューリングリクエストと、前記アップリンクスケジューリングリクエスト以外の他のアップリンク制御情報とを、それぞれデータ情報形態からビット情報形態に変換し、アップリンクスケジューリングリクエストと他のアップリンク制御情報のビット情報を得る。
【０１０６】
ステップ９０３で、前記アップリンクスケジューリングリクエストのビット情報と他のアップリンク制御情報のビット情報を併合する。
【０１０７】
ステップ９０４で、併合された前記アップリンク制御情報のビット情報に対して、前記他のアップリンク制御情報のチャネル符号化及び変調方式に従って、独立したチャネル符号化及び変調を行う。
【０１０８】
ステップ９０５で、アップリンクデータに対して、アップリンクデータのチャネル符号化及び変調方式に従って、チャネル符号化及び変調を行う。
【０１０９】
ステップ９０６で、変調された前記アップリンク制御情報、他のアップリンク制御情報とアップリンクデータの変調シンボルをＰＵＳＣＨの時間周波数リソースにマッピングして伝送する。
【０１１０】
ステップ９０７で、前記時間領域重畳チャネルグループにおけるＰＵＣＣＨ伝送を放棄する。
【０１１１】
図１０は一例示的な実施例によるアップリンク伝送方法のフローチャートである、当該アップリンク伝送方法は、移動ネットワークのユーザ機器に用いられ、ここで、ユーザ機器が携帯電話、コンピュータ、デジタル放送端末、メッセージ送受信機器、ゲームコンソール、タブレットデバイス、医療機器、フィットネスデバイス、パーソナルデジタルアシスタントなどであってもよい。図７に示すように、当該方法は次のステップ１００１〜ステップ１００６を含む。
【０１１２】
ステップ１００１で、１つの時間ユニットで伝送される時間領域重畳チャネルグループを決定し、前記時間領域重畳チャネルグループに１グループのＰＵＣＣＨ（物理アップリンク制御チャネル）と１グループのＰＵＳＣＨ（物理アップリンク共有チャネル）が含まれ、１グループのＰＵＣＣＨと１グループのＰＵＳＣＨに、時間領域で重畳しているＰＵＣＣＨとＰＵＳＣＨがあり、１グループのＰＵＣＣＨに、アップリンクスケジューリングリクエスト（ＳＲ：Ｓｃｈｅｄｕｌｉｎｇ  Ｒｅｑｕｅｓｔ）を伝送するためのＰＵＣＣＨが含まれ、１グループのＰＵＳＣＨに、アップリンクデータを伝送するためのＰＵＳＣＨが含まれる。
【０１１３】
ステップ１００２で、アップリンクスケジューリングリクエストをデータ情報形態からビット情報形態に変換し、アップリンクスケジューリングリクエストのビット情報を得る。
【０１１４】
ステップ１００３で、前記アップリンクスケジューリングリクエストのビット情報に対して、予め設定された他のアップリンク制御情報のチャネル符号化及び変調方式に従って、独立したチャネル符号化及び変調を行う。
【０１１５】
ステップ１００４で、アップリンクデータに対して、アップリンクデータのチャネル符号化及び変調方式に従って、チャネル符号化及び変調を行う。
【０１１６】
ステップ１００５で、変調された前記アップリンクスケジューリングリクエストとアップリンクデータの変調シンボルをＰＵＳＣＨの時間周波数リソースにマッピングして伝送する。
【０１１７】
ステップ１００６で、前記時間領域重畳チャネルグループにおけるＰＵＣＣＨ伝送を放棄する。
【０１１８】
図１１は一例示的な実施例によるアップリンク伝送方法のフローチャートであり、当該アップリンク伝送方法は、移動ネットワークのユーザ機器に用いられ、ここで、ユーザ機器が携帯電話、コンピュータ、デジタル放送端末、メッセージ送受信機器、ゲームコンソール、タブレットデバイス、医療機器、フィットネスデバイス、パーソナルデジタルアシスタントなどであってもよい。図７に示すように、当該方法は次のステップ１１０１〜ステップ１１０４を含む。
【０１１９】
ステップ１１０１で、１つの時間ユニットで伝送される時間領域重畳チャネルグループを決定し、前記時間領域重畳チャネルグループに１グループのＰＵＣＣＨ（物理アップリンク制御チャネル）と１グループのＰＵＳＣＨ（物理アップリンク共有チャネル）が含まれ、１グループのＰＵＣＣＨと１グループのＰＵＳＣＨに、時間領域で重畳しているＰＵＣＣＨとＰＵＳＣＨがあり、１グループのＰＵＣＣＨにアップリンクスケジューリングリクエスト（ＳＲ：Ｓｃｈｅｄｕｌｉｎｇ  Ｒｅｑｕｅｓｔ）を伝送するためのＰＵＣＣＨが含まれ、１グループのＰＵＳＣＨにアップリンクデータを伝送するためのＰＵＳＣＨが含まれる。
【０１２０】
ステップ１１０２で、前記ＰＵＣＣＨを介して前記アップリンクスケジューリングリクエストを伝送する。
【０１２１】
ステップ１１０３で、前記アップリンクスケジューリングリクエスト以外の他のアップリンク制御情報とアップリンクデータに対してチャネル符号化及び変調を行い、前記ＰＵＳＣＨの時間周波数リソースにマッピングして伝送する。
【０１２２】
ステップ１１０４で、前記時間領域重畳チャネルグループにおける、前記アップリンクスケジューリングリクエストを伝送するためのＰＵＣＣＨ以外の他のＰＵＣＣＨの伝送を放棄する。
【０１２３】
以上にアップリンク伝送におけるユーザ機器の実現方式が説明され、それに応じて、基地局側は、アップリンク情報を得るために対応する解析を行う必要がある。以下に基地局側の実現プロセスを紹介する。
【０１２４】
図１２は一つの例示的な実施例によるアップリンク伝送方法のフローチャートである。当該アップリンク伝送方法は基地局などのアクセスネットワーク装置に用いられる。図１２に示すように、当該方法は次のステップ１２０１〜ステップ１２０２を含む。
【０１２５】
ステップ１２０１で、１つの時間ユニットで伝送される時間領域重畳チャネルグループを決定し、前記時間領域重畳チャネルグループに１グループのＰＵＣＣＨと１グループのＰＵＳＣＨが含まれ、１グループのＰＵＣＣＨと１グループのＰＵＳＣＨに、時間領域で重畳しているＰＵＣＣＨとＰＵＳＣＨが含まれ、１グループのＰＵＣＣＨに、アップリンクスケジューリングリクエストを伝送するためのＰＵＣＣＨが含まれ、１グループのＰＵＳＣＨに、アップリンクデータを伝送するためのＰＵＳＣＨが含まれる。
【０１２６】
ステップ１２０２で、前記時間領域重畳チャネルグループによって伝送されるアップリンク制御情報とアップリンクデータの多重化伝送を受信し、前記アップリンク制御情報にアップリンクスケジューリングリクエストが含まれる。
【０１２７】
本実施例において、１グループのＰＵＣＣＨはアップリンクスケジューリングリクエストを伝送するためのＰＵＣＣＨを含み、また、アップリンクスケジューリングリクエスト以外の他のアップリンク制御情報を伝送するためのＰＵＣＣＨを含む可能性もある。ユーザ機器が、１つのＰＵＣＣＨと１つのＰＵＳＣＨが時間領域で重畳することを決定した場合、時間領域重畳チャネルグループが存在する。時間領域で重畳しているＰＵＣＣＨは、アップリンクスケジューリングリクエストを送信するためのＰＵＣＣＨ、及び／又は他のアップリンク制御情報を伝送するためのＰＵＣＣＨである可能性がある。
【０１２８】
ユーザ機器のアップリンクリソースが基地局によって設定されるか、システムによって指定されるので、基地局は、時間領域重畳チャネルグループがあるか否かを知ることができる。時間領域重畳チャネルグループがあることを決定する場合、基地局は、多重化伝送方式を採用してアップリンク情報を受信し、時間領域重畳チャネルグループがない場合、基地局は他の方式を使用してアップリンク情報を受信する。
【０１２９】
本実施例において、アップリンク制御情報とアップリンクデータがＰＵＳＣＨの時間周波数リソースに多重化されているか、ＰＵＳＣＨとＰＵＣＣＨの時間周波数リソースに多重化されているかを解析して、アップリンク情報を取得することができる。基地局側とユーザ機器側は一致するシステム構成であればよい。次の実施例を参照すると、ユーザ機器側の実現方式が様々であり、それに応じて、基地局側の実現方式も様々である。
【０１３０】
一つの実施例では、前記ステップ１２０２はステップＦ１とステップＦ２を含む。
【０１３１】
ステップＦ１で、アップリンクデータを伝送するための前記ＰＵＳＣＨで、前記アップリンクスケジューリングリクエスト以外の他のアップリンク制御情報とアップリンクデータの変調シンボルを受信する。
【０１３２】
ステップＦ２で、アップリンクスケジューリングリクエストの受信を放棄する。
【０１３３】
本実施例において、図７に示すユーザ機器側の実施例に対応して、ユーザ機器はＰＵＣＣＨの伝送を放棄する。それに応じて、基地局は、ＰＵＳＣＨを受信し、他のアップリンク制御情報とアップリンクデータの変調シンボルを取得し、その後、対応する復調及びチャネル復号などを行うだけでよい。
【０１３４】
１つの実施例では、ステップ１２０２で、前記時間領域重畳チャネルグループによって伝送されるアップリンク制御情報の伝送を受信することは、ステップＤ１を含み、さらにステップＤ２、ステップＤ３又はステップＤ４を含む。
【０１３５】
ステップＤ１で、アップリンクデータを伝送するための前記ＰＵＳＣＨで、前記アップリンクスケジューリングリクエストを含むアップリンク制御情報を受信する。
【０１３６】
ステップＤ２で、アップリンクスケジューリングリクエストのチャネル復号及び復調方式に従って、多重化伝送されたアップリンクスケジューリングリクエストを取得する。
【０１３７】
本実施例において、図８に示すユーザ機器側の実施例に対応して、ユーザ機器はＰＵＣＣＨの伝送を放棄する。それに対応して、基地局は、ＰＵＳＣＨを受信し、アップリンクスケジューリングリクエストのチャネル復号及び復調方式に従って、ＰＵＳＣＨにより、多重化伝送されたアップリンクスケジューリングリクエストを取得し、及び、アップリンクデータのチャネル符号化及び復調方式に従って、ＰＵＳＣＨにより、多重化伝送されたアップリンクデータを取得するだけでよい。ユーザ機器はさらに他のアップリンク制御情報を伝送する可能性もある。ユーザ機器が他のアップリンク制御情報を伝送した場合、基地局は、他のアップリンク制御情報のチャネル復号及び復調方式に従って、ＰＵＳＣＨにより、多重化伝送されたアップリンク制御情報を取得する。
【０１３８】
ステップＤ３で、予め設定された他のアップリンク制御情報のチャネル復号及び復調方式に従って、多重化伝送されたアップリンクスケジューリングリクエストを取得する。
【０１３９】
本実施例において、図１０に示すユーザ機器側の実施例に対応して、ユーザ機器はＰＵＣＣＨの伝送を放棄し、そして他のアップリンク制御情報を伝送しない。基地局は、予め設定された他のアップリンク制御情報のチャネル復号及び復調方式に従って、ＰＵＳＣＨにより、多重化伝送されたアップリンクスケジューリングリクエストを取得し、及び、アップリンクデータのチャネル符号化及び復調方式に従って、ＰＵＳＣＨにより、多重化伝送されたアップリンクデータを取得する。
【０１４０】
ステップＤ４で、ＰＵＳＣＨで伝送される、アップリンクスケジューリングリクエスト以外の他のアップリンク制御情報のチャネル復号及び復調方式に従って、多重化伝送されたアップリンクスケジューリングリクエストを取得する。
【０１４１】
本実施例において、図９に示すユーザ機器側の実施例に対応して、ユーザ機器はＰＵＣＣＨの伝送を放棄し、そして他のアップリンク制御情報を伝送する。基地局は、伝送された他のアップリンク制御情報のチャネル復号及び復調方式に従って、ＰＵＳＣＨにより、多重化伝送されたアップリンクスケジューリングリクエストと当該他のアップリンク制御情報を取得し、及びアップリンクデータのチャネル符号化及び復調方式に従って、ＰＵＳＣＨにより、多重化伝送されたアップリンクデータを取得する。前記他のアップリンク制御情報に加えて、ユーザ機器がもう一つの他のアップリンク制御情報を伝送した場合、基地局は、もう一つの他のアップリンク制御情報のチャネル復号及び復調方式に従って、ＰＵＳＣＨにより、多重化伝送されたもう一つのアップリンク制御情報を取得する。
【０１４２】
１つの実施例では、前記アップリンク制御情報はアップリンクスケジューリングリクエスト以外の他のアップリンク制御情報を含み、
ステップ１２０２で、前記ＰＵＳＣＨとＰＵＣＣＨにより、多重化伝送されたアップリンク制御情報とアップリンクデータを解析することは、ステップＥ１とステップＥ２を含む。
【０１４３】
ステップＥ１で、アップリンクデータを伝送するための前記ＰＵＳＣＨで、前記アップリンクスケジューリングリクエスト以外の他のアップリンク制御情報とアップリンクデータの変調シンボルを受信する。
【０１４４】
ステップＥ２は、アップリンクサービスリクエストを伝送するための前記ＰＵＣＣＨで、アップリンクスケジューリングリクエストを受信する。
【０１４５】
本実施例において、図１１に示すユーザ機器側の実施例に対応して、ユーザ機器はＰＵＣＣＨを保留する。したがって、基地局は、関連技術におけるアップリンクスケジューリングリクエスト、他のアップリンク制御情報とアップリンクデータに関するチャネル復号及び復調方式に従って、ＰＵＳＣＨにより、多重化伝送された他のアップリンク制御情報とアップリンクデータを解析し、及びＰＵＣＣＨにより、アップリンクスケジューリングリクエストを解析することができる。
【０１４６】
図７に示すユーザ機器側の実施例に対応して、ユーザ機器はアップリンクスケジューリングリクエストの伝送を放棄する。したがって、基地局は、関連技術における他のアップリンク制御情報とアップリンクデータに関するチャネル復号及び復調方式に従って、ＰＵＳＣＨにより、多重化伝送された他のアップリンク制御情報とアップリンクデータを解析することができる。
【０１４７】
下記は本発明の装置の実施例であり、本発明の方法の実施例を実行することに用いられてもよい。
【０１４８】
図１３は一つの例示的な実施例によるアップリンク伝送装置のブロック図である。当該装置は、ソフトウェア、ハードウェア、又は両方の組み合わせにより、電子機器の一部又は全部として実現されてもよい。図３を参照すると、当該アップリンク伝送装置は、ユーザ機器に適用しており、決定モジュール１３０１と伝送モジュール１３０２を備え、ここで、
決定モジュール１３０１が１つの時間ユニットで伝送される時間領域重畳チャネルグループを決定するように構成され、前記時間領域重畳チャネルグループに１グループのＰＵＣＣＨと１グループのＰＵＳＣＨが含まれ、１グループのＰＵＣＣＨと１グループのＰＵＳＣＨに、時間領域で重畳しているＰＵＣＣＨとＰＵＳＣＨがあり、１グループのＰＵＣＣＨに、アップリンクスケジューリングリクエストを伝送するためのＰＵＣＣＨが含まれ、１グループのＰＵＳＣＨに、アップリンクデータを伝送するためのＰＵＳＣＨが含まれる。
【０１４９】
伝送モジュール１３０２は、前記時間領域重畳チャネルグループによって伝送されるアップリンク制御情報及びアップリンクデータに対して多重化伝送を行うように構成され、前記アップリンク制御情報にアップリンクスケジューリングリクエストが含まれる。
【０１５０】
一つの実施例では、図１４に示すように、前記伝送モジュール１３０２は、除去サブモジュール１４０１、第一の処理サブモジュール１４０２と第一の放棄サブモジュール１４０３を含む。
【０１５１】
除去サブモジュール１４０１は、前記アップリンク制御情報から前記アップリンクスケジューリングリクエストを除去するように構成される。
【０１５２】
第一の処理サブモジュール１４０２は、アップリンクスケジューリングリクエストが除去された他のアップリンク制御情報とアップリンクデータに対してチャネル符号化及び変調を行い、前記ＰＵＳＣＨの時間周波数リソースにマッピングして伝送するように構成される。
【０１５３】
第一の放棄サブモジュール１４０３は、前記時間領域重畳チャネルグループにおけるＰＵＣＣＨ伝送を放棄するように構成される。
【０１５４】
一つの実施例では、図１５に示すように、前記伝送モジュール１３０２は、第二の処理サブモジュール１５０１と第一の放棄サブモジュール１５０２を含む。
【０１５５】
第二の処理サブモジュール１５０１は、アップリンクスケジューリングリクエストを含むすべてのアップリンク制御情報とアップリンクデータに対してチャネル符号化及び変調を行い、前記ＰＵＳＣＨの時間周波数リソースにマッピングして伝送するように構成される。
【０１５６】
第一の放棄サブモジュール１５０２は、前記時間領域重畳チャネルグループにおけるＰＵＣＣＨ伝送を放棄するように構成される。
【０１５７】
１つの実施例では、前記第二の処理サブモジュール１５０１は、前記アップリンクスケジューリングリクエストのビット情報に対して、アップリンクスケジューリングリクエストのチャネル符号化及び変調方式に従って、チャネル符号化及び変調を行い、変調されたアップリンクスケジューリングリクエストの変調シンボルとアップリンクデータをＰＵＳＣＨの時間周波数リソースにマッピングして伝送する。
【０１５８】
１つの実施例では、前記第二の処理サブモジュール１５０１は、前記アップリンクスケジューリングリクエストのビット情報と、前記アップリンクスケジューリングリクエスト以外の他のアップリンク制御情報のビット情報とを併合し、併合された前記アップリンク制御情報のビット情報に対して、前記他のアップリンク制御情報のチャネル符号化及び変調方式に従って、独立したチャネル符号化及び変調を行い、変調された前記アップリンク制御情報の変調シンボルとアップリンクデータをＰＵＳＣＨの時間周波数リソースにマッピングして伝送する。
【０１５９】
１つの実施例では、前記第二の処理サブモジュール１５０１は、前記アップリンクスケジューリングリクエストのビット情報に対して、予め設定された他のアップリンク制御情報のチャネル符号化及び変調方式に従って、独立したチャネルを符号化及び変調を行い、変調された前記アップリンクスケジューリングリクエストの変調シンボルとアップリンクデータをＰＵＳＣＨの時間周波数リソースにマッピングして伝送する。
【０１６０】
１つの実施例では、前記他のアップリンク制御情報は、アップリンクＨＡＲＱフィードバック情報とチャネル状態情報のうちの１つを少なくとも含む。
【０１６１】
一つの実施例では、図１６に示すように、前記伝送モジュール１３０２は、伝送サブモジュール１６０１、第三の処理サブモジュール１６０２と第二の放棄サブモジュール１６０３を含む。
【０１６２】
伝送サブモジュール１６０１は、前記ＰＵＣＣＨを介して前記アップリンクスケジューリングリクエストを伝送するように構成される。
【０１６３】
第三の処理サブモジュール１６０２は、前記アップリンクスケジューリングリクエスト以外の他のアップリンク制御情報とアップリンクデータに対してチャネル符号化及び変調を行い、前記ＰＵＳＣＨの時間周波数リソースにマッピングして伝送するように構成される。
【０１６４】
第二の放棄サブモジュール１６０３は、前記時間領域重畳チャネルグループにおける、前記アップリンクスケジューリングリクエストを伝送するためのＰＵＣＣＨ以外の他のＰＵＣＣＨの伝送を放棄するように構成される。
【０１６５】
図１７は一つの例示的な実施例によるアップリンク伝送装置のブロック図である。当該装置は、ソフトウェア、ハードウェア、又は両方の組み合わせにより、電子機器の一部又は全部として実現されてもよい。図１７を参照すると、当該アップリンク伝送装置は、基地局に適用しており、決定モジュール１７０１と受信モジュール１７０２を備え、ここで、
決定モジュール１７０１が１つの時間ユニットで伝送される時間領域重畳チャネルグループを決定するように構成され、前記時間領域重畳チャネルグループに１グループのＰＵＣＣＨと１グループのＰＵＳＣＨが含まれ、１グループのＰＵＣＣＨと１グループのＰＵＳＣＨに、時間領域で重畳しているＰＵＣＣＨとＰＵＳＣＨが含まれ、１グループのＰＵＣＣＨに、アップリンクスケジューリングリクエストを伝送するためのＰＵＣＣＨが含まれ、１グループのＰＵＳＣＨに、アップリンクデータを伝送するためのＰＵＳＣＨが含まれる。
【０１６６】
受信モジュール１７０２は、前記時間領域重畳チャネルグループによって伝送されるアップリンク制御情報とアップリンクデータの多重化伝送を受信するように構成され、前記アップリンク制御情報にアップリンクスケジューリングリクエストが含まれる。
【０１６７】
一つの実施例では、図１８に示すように、前記受信モジュール１７０２は、第一の受信サブモジュール１８０１と放棄サブモジュール１８０２を含む。
【０１６８】
第一の受信サブモジュール１８０１は、アップリンクデータを伝送するための前記ＰＵＳＣＨで、前記アップリンクスケジューリングリクエスト以外の他のアップリンク制御情報とアップリンクデータの変調シンボルを受信するように構成される。
【０１６９】
放棄サブモジュール１８０２は、アップリンクスケジューリングリクエストの受信を放棄するように構成される。
【０１７０】
一つの実施例では、図１９Ａに示すように、前記受信モジュール１７０２は、第二の受信サブモジュール１９０１を含み、さらに第一の復号及び復調サブモジュール１９０２、第二の復号及び復調サブモジュール１９０３又は第三の復号及び復調サブモジュール１９０４を含む。
【０１７１】
第二の受信サブモジュール１９０１は、アップリンクデータを伝送するための前記ＰＵＳＣＨで、前記アップリンクスケジューリングリクエストを含むアップリンク制御情報を受信するように構成される。
【０１７２】
第一の復号及び復調サブモジュール１９０２は、アップリンクスケジューリングリクエストのチャネル復号及び復調方式に従って、多重化伝送されたアップリンクスケジューリングリクエストを取得するように構成される。
【０１７３】
第二の復号及び復調サブモジュール１９０３は、予め設定された他のアップリンク制御情報のチャネル復号及び復調方式に従って、多重化伝送されたアップリンクスケジューリングリクエストを取得するように構成される。
【０１７４】
第三の復号及び復調サブモジュール１９０４は、ＰＵＳＣＨで伝送されるアップリンクスケジューリングリクエスト以外の他のアップリンク制御情報のチャネル復号及び復調方式に従って、多重化伝送されたアップリンクスケジューリングリクエストを取得するように構成される。
【０１７５】
一つの実施例では、図１９Ｂに示すように、前記受信モジュール１７０２は、第三の受信サブモジュール１９０５と第四の放棄サブモジュール１９０６を含む。
【０１７６】
第三の受信サブモジュール１９０５は、アップリンクデータを伝送するための前記ＰＵＳＣＨで、前記アップリンクスケジューリングリクエスト以外の他のアップリンク制御情報とアップリンクデータの変調シンボルを受信するように構成される。
【０１７７】
第四の受信サブモジュール１９０６は、アップリンクサービスリクエストを伝送するための前記ＰＵＣＣＨで、アップリンクスケジューリングリクエストを受信するように構成される。
【０１７８】
上記実施例における装置について、そのうちの各モジュールが操作を実行する具体的な方式はすでに当該方法に関する実施例において詳細に説明されたため、ここで詳細な説明を省略する。
【０１７９】
図２０は一つの例示的な実施例によるアップリンク伝送のための装置のブロック図である。例えば、装置２０００は、携帯電話、コンピュータ、デジタル放送端末、メッセージ送受信機器、ゲームコンソール、タブレットデバイス、医療機器、フィットネスデバイス、パーソナルデジタルアシスタントなどであってもよい。
【０１８０】
装置２０００は処理コンポーネント２００２、メモリ２００４、電源コンポーネント２００６、マルチメディアコンポーネント２００８、オーディオコンポーネント２０１０、入力／出力（Ｉ／Ｏ）インタフェース２０１２、センサーコンポーネント２０１４、及び通信コンポーネント２０１６のうちの一つ又は複数を備えることができる。
【０１８１】
処理コンポーネント２００２は一般的に装置２０００の全体動作、例えば表示、電話コール、データ通信、カメラの動作および記録動作と関連する動作を制御する。処理コンポーネント２００２は一つまたは複数のプロセッサ２０２０を含んで命令を実行して、上記の方法の全て又は一部のステップを完了することができる。また、処理コンポーネント２００２と他のコンポーネントの間のインタラクションを容易にするために、処理コンポーネント２００２は、一つ又は複数のモジュールを含むことができる。例えば、マルチメディアモジュール２００８と処理コンポーネント２００２の間のインタラクションを容易にするために、処理コンポーネント２００２は、マルチメディアモジュール２００８を含むことができる。
【０１８２】
メモリ２００４は様々なタイプのデータを記憶して装置２０００での動作をサポートするように構成される。これらのデータの例は装置２０００で動作するいずれかのアプリケーションプログラム又は方法のための命令、連絡先データ、電話帳データ、メッセージ、イメージ、ビデオなどを含む。メモリ２００４は、スタティックランダムアクセスメモリ（ＳＲＡＭ）、電気的消去可能プログラマブル読み取り専用メモリ（ＥＥＰＲＯＭ）、消去可能プログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気ディスク又は光ディスクなどの任意のタイプの揮発性又は不揮発性記憶装置又はそれらの組み合わせにより実現されてもよい。
【０１８３】
電源コンポーネント２００６は装置２０００の様々なコンポーネントに電力を供給する。電源コンポーネント２００６は電源管理システム、一つ又は複数の電源、および装置２０００に対して電力を生成、管理および割り当てることに関連する他のコンポーネントを含むことができる。
【０１８４】
マルチメディアコンポーネント２００８は前記装置２０００とユーザの間の一つの出力インタフェースを提供するスクリーンを含む。いくつかの実施例において、スクリーンは液晶ディスプレイ（ＬＣＤ）とタッチパネル（ＴＰ）を含むことができる。スクリーンがタッチパネルを含む場合、スクリーンはタッチスクリーンとして実現されて、ユーザからの入力信号を受信することができる。タッチパネルは一つ又は複数のタッチセンサーを含んでタッチ、スライドとタッチパネル上のジェスチャをセンシングする。前記タッチセンサーはタッチ又はスライド動作の境界をセンシングするだけでなく、前記タッチ又はスライド動作に関連する持続時間及び圧力を検出することができる。いくつかの実施例において、マルチメディアコンポーネント２００８は一つのフロントカメラ及び／又はリアカメラを含む。装置２０００が動作モード、例えば撮影モード又はビデオモードにある場合、フロントカメラ及び／又はリアカメラは外部のマルチメディアデータを受信することができる。各フロントカメラ及び／又はリアカメラは一つの固定された光学レンズシステムであってもよく又は焦点距離及び光学ズーム能力を有する。
【０１８５】
オーディオコンポーネント２０１０はオーディオ信号を出力及び／又は入力するように配置される。例えば、オーディオコンポーネント２０１０は一つのマイクロホン（ＭＩＣ）を含み、装置２０００が動作モード、例えばコールモード、記録モードと音声識別モードにある場合、マイクロホンは外部の音声信号を受信するように構成される。受信されたオーディオ信号はさらにメモリ２００４に記憶又は通信コンポーネント２０１６を介して送信されることができる。いくつかの実施例において、オーディオコンポーネント２０１０はさらにオーディオ信号を出力するためのスピーカを含む。
【０１８６】
Ｉ／Ｏインタフェース２０１２は処理コンポーネント２００２と周辺インタフェースモジュールの間にインタフェースを提供し、上記周辺インタフェースモジュールがキーボード、クリックホイール、ボタンなどであってもよい。これらのボタンはホームボタン、音量ボタン、スタートボタンとロックボタンを含むことができるがこれらに限定されない。
【０１８７】
センサーコンポーネント２０１４は装置２０００に様々な態様の状態評価を提供するための一つ又は複数のセンサーを含む。例えば、センサーコンポーネント２０１４は装置２０００のオン／オフ状態、コンポーネントの相対的な位置を検出することができ、例えば前記コンポーネントが装置２０００のディスプレイ及びキーパッドであり、センサーコンポーネント２０１４はさらに装置２０００又は装置２０００の一つのコンポーネントの位置変化、ユーザと装置２０００との接触の有無、装置２０００の方位又は加速／減速と装置２０００の温度変化を検出することができる。センサーコンポーネント２０１４はそれがいかなる物理的な接触がない時に近くの物体の存在を検出するための近接センサーを含むことができる。センサーコンポーネント２０１４はさらにイメージングアプリケーションに使用される光センサー、例えばＣＭＯＳ又はＣＣＤイメージセンサーを含むことができる。いくつかの実施例において、当該センサーコンポーネント２０１４はさらに加速度センサー、ジャイロセンサー、磁気センサー、圧力センサー又は温度センサーを含むことができる。
【０１８８】
通信コンポーネント２０１６は装置２０００と他の装置の間の有線又は無線方式の通信を容易にするように構成される。装置２０００は通信規格に基づく無線ネットワーク、例えばＷｉＦｉ、２Ｇ又は３Ｇ又はこれらの組み合わせにアクセスすることができる。一つの例示的な実施例では、通信コンポーネント２０１６は放送チャネルを介して外部の放送管理システムからの放送信号又は放送関連情報を受信する。一例示的実施例では、前記通信コンポーネント２０１６はさらに近距離通信（ＮＦＣ）モジュールを含み、短距離通信を容易にする。例えば、ＮＦＣモジュールは無線周波数識別（ＲＦＩＤ）技術、赤外線通信協会（ＩｒＤＡ）技術、超広帯域（ＵＷＢ）技術、ブルートゥース（登録商標）（ＢＴ）技術及び他の技術に基づいて実現されてもよい。
【０１８９】
例示的実施例では、装置２０００は上記方法を実行するために、一つ又は複数の特定用途向け集積回路（ＡＳＩＣ）、デジタル信号プロセッサ（ＤＳＰ）、デジタル信号処理装置（ＤＳＰＤ）、プログラマブル論理デバイス（ＰＬＤ）、フィールドプログラマブルゲートアレイ（ＦＰＧＡ）、コントローラ、マイクロコントローラ、マイクロプロセッサ又は他の電子素子により実現されてもよい。
【０１９０】
例示的実施例では、命令を含む非一時的コンピュータ読み取り可能記憶媒体、例えば命令を含むメモリ２００４が提供され、上記命令は装置２０００のプロセッサ２０２０によって実行されて上記方法を完了することができる。例えば、前記非一時的コンピュータ可読記憶媒体はＲＯＭ、ランダムアクセスメモリ（ＲＡＭ）、ＣＤ−ＲＯＭ、磁気テープ、フロッピーディスク（登録商標）と光データ記憶装置などであってもよい。
【０１９１】
例示的な実施例では、アップリンク伝送装置が提供される。前記装置は、
プロセッサと、
プロセッサで実行可能な命令を記憶するように構成されるメモリと、を備え、
ここで、プロセッサは、
１つの時間ユニットで伝送される時間領域重畳チャネルグループを決定することであって、前記時間領域重畳チャネルグループに１グループのＰＵＣＣＨと１グループのＰＵＳＣＨが含まれ、１グループのＰＵＣＣＨと１グループのＰＵＳＣＨに、時間領域で重畳しているＰＵＣＣＨとＰＵＳＣＨがあり、１グループのＰＵＣＣＨに、アップリンクスケジューリングリクエストを伝送するためのＰＵＣＣＨが含まれ、１グループのＰＵＳＣＨに、アップリンクデータを伝送するためのＰＵＳＣＨが含まれることと、
前記時間領域重畳チャネルグループによって伝送されるアップリンク制御情報及びアップリンクデータに対して多重化伝送を行うことであって、前記アップリンク制御情報にアップリンクスケジューリングリクエストが含まれることと、を実行するように構成される。
【０１９２】
非一時的コンピュータ可読記憶媒体であって、前記記憶媒体での命令が装置のプロセッサによって実行される場合、装置は上記アップリンク伝送方法を実行することができ、前記方法は、
１つの時間ユニットで伝送される時間領域重畳チャネルグループを決定することであって、前記時間領域重畳チャネルグループに１グループのＰＵＣＣＨと１グループのＰＵＳＣＨが含まれ、１グループのＰＵＣＣＨと１グループのＰＵＳＣＨに、時間領域で重畳しているＰＵＣＣＨとＰＵＳＣＨがあり、１グループのＰＵＣＣＨに、アップリンクスケジューリングリクエストを伝送するためのＰＵＣＣＨが含まれ、１グループのＰＵＳＣＨに、アップリンクデータを伝送するためのＰＵＳＣＨが含まれることと、
前記時間領域重畳チャネルグループによって伝送される及びアップリンクデータに対して多重化伝送を行うことであって、前記アップリンク制御情報にアップリンクスケジューリングリクエストが含まれることと、を含む。
【０１９３】
図２１は一つの例示的な実施例による同期データに用いられる装置２１００のブロック図である。例えば、装置２１００はコンピュータとして提供されてもよい。図２１を参照すると、装置２１００は、１つ又は複数のプロセッサを含む処理コンポーネント、及び処理コンポーネント２１２２で実行可能な命令、例えばアプリケーションプログラムを記憶するための、メモリ２１３２によって表されるメモリリソースを備える。メモリ２１３２に格納されたアプリケーションプログラムは、それぞれが１つの命令に対応する１つ又は複数のモジュールを含むことができる。また、処理コンポーネント２１２２は上記方法を実行してデータを同期させるための命令を実行するように構成される。
【０１９４】
装置２１００はさらに装置２１００の電源管理を実行するように構成された電源コンポーネント２１２６、装置２１００をネットワークに接続するように構成された有線又は無線ネットワークインタフェース２１５０、及び入出力（Ｉ／Ｏ）インタフェース２１５８を備えることができる。装置２１００は、Ｗｉｎｄｏｗｓ  ＳｅｒｖｅｒＴＭ、Ｍａｃ  ＯＳ  ＸＴＭ、ＵｎｉｘＴＭ、ＬｉｎｕｘＴＭ、ＦｒｅｅＢＳＤＴＭなどのメモリ２１３２に記憶されているオペレーティングシステムに基づいて動作することができる。
【０１９５】
例示的な実施例では、アップリンク伝送装置が提供される。前記装置は、
プロセッサと、
プロセッサで実行可能な命令を記憶するように構成されるメモリと、を備え、
ここで、前記プロセッサは、
１つの時間ユニットで伝送される時間領域重畳チャネルグループを決定することであって、前記時間領域重畳チャネルグループに１グループのＰＵＣＣＨと１グループのＰＵＳＣＨが含まれ、１グループのＰＵＣＣＨと１グループのＰＵＳＣＨに、時間領域で重畳しているＰＵＣＣＨとＰＵＳＣＨが含まれ、１グループのＰＵＣＣＨに、アップリンクスケジューリングリクエストを伝送するためのＰＵＣＣＨが含まれ、１グループのＰＵＳＣＨに、アップリンクデータを伝送するためのＰＵＳＣＨが含まれることと、
前記時間領域重畳チャネルグループによって伝送されるアップリンク制御情報とアップリンクデータの多重化伝送を受信することであって、前記アップリンク制御情報にアップリンクスケジューリングリクエストが含まれることと、を実行するように構成される。
【０１９６】
非一時的コンピュータ可読記憶媒体であって、前記記憶媒体での命令が装置のプロセッサによって実行される場合、装置は上記アップリンク伝送方法を実行することができ、前記方法は、
１つの時間ユニットで伝送される時間領域重畳チャネルグループを決定することであって、前記時間領域重畳チャネルグループに１グループのＰＵＣＣＨと１グループのＰＵＳＣＨが含まれ、１グループのＰＵＣＣＨと１グループのＰＵＳＣＨに、時間領域で重畳しているＰＵＣＣＨとＰＵＳＣＨが含まれ、１グループのＰＵＣＣＨに、アップリンクスケジューリングリクエストを伝送するためのＰＵＣＣＨが含まれ、１グループのＰＵＳＣＨに、アップリンクデータを伝送するためのＰＵＳＣＨが含まれることと、
前記時間領域重畳チャネルグループによって伝送されるアップリンク制御情報とアップリンクデータの多重化伝送を受信することであって、前記アップリンク制御情報にアップリンクスケジューリングリクエストが含まれることと、を含む。
【０１９７】
当業者は明細書を考慮してここでの開示を実践した後、本発明の他の実施手段を容易に想到する。本出願は本発明のいずれかの変形、用途または適応的変化を含むことを意図し、これらの変形、用途または適応的変化が本発明の一般的な原理に従い且つ本発明に公開されない本技術分野における一般的な知識又は慣用の技術手段を含む。本明細書および実施例は例示的なものとしてのみ見なされるが、本発明の真の範囲と精神は以下の特許請求の範囲によって指摘される。
【０１９８】
理解すべきものとして、本発明は以上に説明され且つ添付図面に示された正確な構造に限定されず、且つその範囲から逸脱することなく様々な修正及び変更を行うことができる。本発明の範囲は添付の特許請求の範囲のみによって制限される。
【図１】
2021520147.tif 000003
【図２】
2021520147.tif 000004
【図３】
2021520147.tif 000005
【図４】
2021520147.tif 000006
【図５】
2021520147.tif 000007
【図６】
2021520147.tif 000008
【図７】
2021520147.tif 000009
【図８】
2021520147.tif 000010
【図９】
2021520147.tif 000011
【図１０】
2021520147.tif 000012
【図１１】
2021520147.tif 000013
【図１２】
2021520147.tif 000014
【図１３】
2021520147.tif 000015
【図１４】
2021520147.tif 000016
【図１５】
2021520147.tif 000017
【図１６】
2021520147.tif 000018
【図１７】
2021520147.tif 000019
【図１８】
2021520147.tif 000020
【図１９Ａ】
2021520147.tif 000021
【図１９Ｂ】
2021520147.tif 000022
【図２０】
2021520147.tif 000023
【図２１】
2021520147.tif 000024
【手続補正書】
【提出日】令和2年10月16日(2020.10.16)
【手続補正１】
【補正対象書類名】特許請求の範囲
【補正対象項目名】全文
【補正方法】変更
【補正の内容】
【特許請求の範囲】
【請求項１】
ユーザ機器に適用されるアップリンク伝送方法であって、
１つの時間ユニットで伝送される時間領域重畳チャネルグループを決定することであって、前記時間領域重畳チャネルグループに１グループの物理アップリンク制御チャネル（ＰＵＣＣＨ）と１グループの物理アップリンク共有チャネル（ＰＵＳＣＨ）が含まれ、１グループのＰＵＣＣＨと１グループのＰＵＳＣＨに、時間領域で重畳しているＰＵＣＣＨとＰＵＳＣＨが含まれ、１グループのＰＵＣＣＨに、アップリンクスケジューリングリクエストを伝送するためのＰＵＣＣＨが含まれ、１グループのＰＵＳＣＨに、アップリンクデータを伝送するためのＰＵＳＣＨが含まれることと、
前記時間領域重畳チャネルグループによって伝送される及びアップリンクデータに対して多重化伝送を行うことであって、前記アップリンク制御情報にアップリンクスケジューリングリクエストが含まれることと、を含む、前記アップリンク伝送方法。
【請求項２】
前記時間領域重畳チャネルグループによって伝送されるアップリンク制御情報及びアップリンクデータに対して多重化伝送を行うことは、
前記アップリンク制御情報から前記アップリンクスケジューリングリクエストを除去することと、
アップリンクスケジューリングリクエストが除去された他のアップリンク制御情報とアップリンクデータに対してチャネル符号化及び変調を行い、前記ＰＵＳＣＨの時間周波数リソースにマッピングして伝送することと、
記時間領域重畳チャネルグループにおけるＰＵＣＣＨ伝送を放棄することと、を含むことを特徴とする
請求項１に記載の方法。
【請求項３】
前記時間領域重畳チャネルグループによって伝送されるアップリンク制御情報及びアップリンクデータに対して多重化伝送を行うことは、
アップリンクスケジューリングリクエストを含むすべてのアップリンク制御情報とアップリンクデータに対してチャネル符号化及び変調を行い、前記ＰＵＳＣＨの時間周波数リソースにマッピングして伝送することと、
前記時間領域重畳チャネルグループにおけるＰＵＣＣＨ伝送を放棄することと、を含むことを特徴とする
請求項１に記載の方法。
【請求項４】
前記アップリンクスケジューリングリクエストを含むすべてのアップリンク制御情報とアップリンクデータに対してチャネル符号化及び変調を行い、前記ＰＵＳＣＨの時間周波数リソースにマッピングして伝送することは、
前記アップリンクスケジューリングリクエストのビット情報に対して、アップリンクスケジューリングリクエストのチャネル符号化及び変調方式に従って、独立したチャネル符号化及び変調を行うことと、
変調されたアップリンクスケジューリングリクエストの変調シンボルとアップリンクデータをＰＵＳＣＨの時間周波数リソースにマッピングして伝送することと、を含むことを特徴とする
請求項３に記載の方法。
【請求項５】
前記アップリンクスケジューリングリクエストを含むすべてのアップリンク制御情報とアップリンクデータに対してチャネル符号化及び変調を行い、前記ＰＵＳＣＨの時間周波数リソースにマッピングして伝送することは、
前記アップリンクスケジューリングリクエストのビット情報と、前記アップリンクスケジューリングリクエスト以外の他のアップリンク制御情報のビット情報とを併合することと、
併合された前記アップリンク制御情報のビット情報に対して、前記他のアップリンク制御情報のチャネル符号化及び変調方式に従って、独立したチャネル符号化及び変調を行うことと、
変調された前記アップリンク制御情報の変調シンボルとアップリンクデータをＰＵＳＣＨの時間周波数リソースにマッピングして伝送することと、を含むことを特徴とする
請求項３に記載の方法。
【請求項６】
前記アップリンクスケジューリングリクエストを含むすべてのアップリンク制御情報とアップリンクデータに対してチャネル符号化及び変調を行い、前記ＰＵＳＣＨの時間周波数リソースにマッピングして伝送することは、
前記アップリンクスケジューリングリクエストのビット情報に対して、予め設定された他のアップリンク制御情報のチャネル符号化及び変調方式に従って、独立したチャネル符号化及び変調を行うことと、
変調された前記アップリンクスケジューリングリクエストの変調シンボルとアップリンクデータをＰＵＳＣＨの時間周波数リソースにマッピングして伝送することと、を含むことを特徴とする
請求項３に記載の方法。
【請求項７】
前記他のアップリンク制御情報は、アップリンクハイブリッド自動再送リクエスト（ＨＡＲＱ）フィードバック情報とチャネル状態情報のうちの１つを少なくとも含むことを特徴とする
請求項５又は６に記載の方法。
【請求項８】
前記時間領域重畳チャネルグループによって伝送されるアップリンク制御情報及びアップリンクデータに対して多重化伝送を行うことは、
前記ＰＵＣＣＨを介して前記アップリンクスケジューリングリクエストを伝送することと、
前記アップリンクスケジューリングリクエスト以外の他のアップリンク制御情報とアップリンクデータに対してチャネル符号化及び変調を行い、前記ＰＵＳＣＨの時間周波数リソースにマッピングして伝送することと、
前記時間領域重畳チャネルグループにおける、前記アップリンクスケジューリングリクエストを伝送するためのＰＵＣＣＨ以外の他のＰＵＣＣＨの伝送を放棄することと、を含むことを特徴とする
請求項１に記載の方法。
【請求項９】
基地局に適用されるアップリンク伝送方法であって、
１つの時間ユニットで伝送される時間領域重畳チャネルグループを決定することであって、前記時間領域重畳チャネルグループに１グループの物理アップリンク制御チャネル（ＰＵＣＣＨ）と１グループの物理アップリンク共有チャネル（ＰＵＳＣＨ）が含まれ、１グループのＰＵＣＣＨと１グループのＰＵＳＣＨに、時間領域で重畳しているＰＵＣＣＨとＰＵＳＣＨが含まれ、１グループのＰＵＣＣＨに、アップリンクスケジューリングリクエストを伝送するためのＰＵＣＣＨが含まれ、１グループのＰＵＳＣＨにアップリンクデータを伝送するためのＰＵＳＣＨが含まれることと、
前記時間領域重畳チャネルグループによって伝送されるアップリンク制御情報とアップリンクデータの多重化伝送を受信することであって、前記アップリンク制御情報にアップリンクスケジューリングリクエストが含まれることと、を含む、前記アップリンク伝送方法。
【請求項１０】
前記時間領域重畳チャネルグループによって伝送されるアップリンク制御情報とアップリンクデータの多重化伝送を受信することは、
アップリンクデータを伝送するための前記ＰＵＳＣＨで、前記アップリンクスケジューリングリクエスト以外の他のアップリンク制御情報とアップリンクデータの変調シンボルを受信することと、
アップリンクスケジューリングリクエストの受信を放棄することと、を含むことを特徴とする
請求項９に記載の方法。
【請求項１１】
前記時間領域重畳チャネルグループによって伝送されるアップリンク制御情報の伝送を受信することは、
アップリンクデータを伝送するための前記ＰＵＳＣＨで、前記アップリンクスケジューリングリクエストを含むアップリンク制御情報を受信することと、
アップリンクスケジューリングリクエストのチャネル復号及び復調方式に従って、多重化伝送されたアップリンクスケジューリングリクエストを取得すること、又は
予め設定された他のアップリンク制御情報のチャネル復号及び復調方式に従って、多重化伝送されたアップリンクスケジューリングリクエストを取得すること、又は
ＰＵＳＣＨで伝送される、アップリンクスケジューリングリクエスト以外の他のアップリンク制御情報のチャネル復号及び復調方式に従って、多重化伝送されたアップリンクスケジューリングリクエストを取得することと、を含むことを特徴とする
請求項９に記載の方法。
【請求項１２】
前記時間領域重畳チャネルグループによって伝送されるアップリンク制御情報とアップリンクデータの多重化伝送を受信することは、
アップリンクデータを伝送するための前記ＰＵＳＣＨで、前記アップリンクスケジューリングリクエスト以外の他のアップリンク制御情報とアップリンクデータの変調シンボルを受信することと、
アップリンクサービスリクエストを伝送するためのＰＵＣＣＨで、アップリンクスケジューリングリクエストを受信することと、を含むことを特徴とする
請求項９に記載の方法。
【請求項１３】
アップリンク伝送装置であって、
プロセッサと、
プロセッサで実行可能な命令を記憶するように構成されるメモリと、を備え、
ここで、前記プロセッサは、
１つの時間ユニットで伝送される時間領域重畳チャネルグループを決定することであって、前記時間領域重畳チャネルグループに１グループの物理アップリンク制御チャネル（ＰＵＣＣＨ）と１グループの物理アップリンク共有チャネル（ＰＵＳＣＨ）が含まれ、１グループのＰＵＣＣＨと１グループのＰＵＳＣＨに、時間領域で重畳しているＰＵＣＣＨとＰＵＳＣＨがあり、１グループのＰＵＣＣＨに、アップリンクスケジューリングリクエストを伝送するためのＰＵＣＣＨが含まれ、１グループのＰＵＳＣＨに、アップリンクデータを伝送するためのＰＵＳＣＨが含まれることと、
前記時間領域重畳チャネルグループによって伝送されるアップリンク制御情報及びアップリンクデータに対して多重化伝送を行うことであって、前記アップリンク制御情報にアップリンクスケジューリングリクエストが含まれることと、を実行するように構成される、前記アップリンク伝送装置。
【請求項１４】
アップリンク伝送装置であって、
プロセッサと、
プロセッサで実行可能な命令を記憶するように構成されるメモリと、を備え、
ここで、前記プロセッサは、
１つの時間ユニットで伝送される時間領域重畳チャネルグループを決定することであって、前記時間領域重畳チャネルグループに１グループの物理アップリンク制御チャネル（ＰＵＣＣＨ）と１グループの物理アップリンク共有チャネル（ＰＵＳＣＨ）が含まれ、１グループのＰＵＣＣＨと１グループのＰＵＳＣＨに、時間領域で重畳しているＰＵＣＣＨとＰＵＳＣＨが含まれ、１グループのＰＵＣＣＨに、アップリンクスケジューリングリクエストを伝送するためのＰＵＣＣＨが含まれ、１グループのＰＵＳＣＨに、アップリンクデータを伝送するためのＰＵＳＣＨが含まれることと、
前記時間領域重畳チャネルグループによって伝送されるアップリンク制御情報とアップリンクデータの多重化伝送を受信することであって、前記アップリンク制御情報にアップリンクスケジューリングリクエストが含まれることと、を実行するように構成される、前記アップリンク伝送装置。
【請求項１５】
プロセッサによって実行されるとき、上記の請求項１〜８のうちのいずれか一項に記載の方法、又は上記の請求項９〜１２のうちのいずれか一項に記載の方法を実施するためのコンピュータ命令を記憶した、コンピュータ可読記憶媒体。
【国際調査報告】
2021520147.tif 000025
2021520147.tif 000026
2021520147.tif 000027
2021520147.tif 000028
2021520147.tif 000029
2021520147.tif 000030